(57)【要約】【課題】インターセル・インターフェアレンス・コーディネーションを適用しながら、リレー技術を導入することに伴う隣接セルの干渉の問題を好適に解決する。【解決手段】周辺周波数の割り当ての中で、中継局経由で用いられる周波数の位置をシステムであらかじめ決めておくことにより、中継局から影響を受け易い中央周波数の周波数もその信号を避けてマッピングする。あるいは、中継局の位置により中央周波数に影響がある隣接セルが変わるので、周辺周波数のうち中継局に許可する領域を、中継局の位置に応じて設定して、隣接セルの中央周波数で干渉が強い可能性が高いと設定される箇所を少なくする。【選択図】  図８Ｂ
2011066874.tif 000002
【特許請求の範囲】
【請求項１】
それぞれ基地局と移動局間を中継する中継局を設置することが許容される、隣接する第１のセルと第２のセルを含み、
前記第１のセル側では、自セル内の中継局への割り当てを一部の制限帯域に制限し、
前記第２のセル側では、前記制限帯域を避け又は優先度を下げて、自セル内の移動局に周波数を割り当てる、
通信システム。
【請求項２】
それぞれ中央周波数を使用するセル内部の中央領域と複数セル周波数繰り返しによる周辺周波数を使用するセル端部の周辺領域からなり、基地局と移動局間を中継する中継局を設置することが許容される、隣接する第１のセルと第２のセルを含み、
前記第１のセル側では、自セルの周辺周波数のうち中継局への割り当てを一部の制限帯域に制限し、
前記第２のセル側では、前記制限帯域を避け又は優先度を下げて、自セルの中央周波数を移動局に割り当てる、
通信システム。
【請求項３】
前記第１のセル側では、中継局に対する周波数割り当てを時間とともに周波数ホッピングさせる、
請求項２に記載の通信システム。
【請求項４】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
前記周辺周波数のうち前記中継局に割り当てる制限帯域を決定する中継局周波数割当決定部と、
前記中継局周波数割当決定部が決定した制限帯域を隣接セルの基地局に通知する通知部と、
前記中継局周波数割当決定部が決定した制限帯域に則って、自セル内の無線リソースのスケジューリングを行なうスケジューラーと、
を具備する通信装置。
【請求項５】
前記中継局周波数割当決定部は、前記中継局に対する周波数割り当てを時間とともに周波数ホッピングさせる、
請求項４に記載の通信装置。
【請求項６】
前記スケジューラーは、隣接セルから制限帯域が通知されたときには、当該隣接セルの制限帯域を避け、又は、優先順位を下げながら、自セルの中央周波数の割り当てを行なう、
請求項４に記載の通信装置。
【請求項７】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
前記周辺周波数のうち前記中継局に割り当てる制限帯域を決定する中継局周波数割当決定ステップと、
前記中継局周波数割当決定ステップにおいて決定した制限帯域を隣接セルの基地局に通知する通知ステップと、
前記中継局周波数割当決定ステップにおいて決定した制限帯域に則って、自セル内の無線リソースのスケジューリングを行なうステップと、
隣接セルから制限帯域が通知されたときには、当該隣接セルの制限帯域を避け、又は、優先順位を下げながら、自セルの中央周波数の割り当てを行なうステップと、
を有する通信方法。
【請求項８】
内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
前記周辺周波数のうち前記中継局に割り当てる制限帯域を決定する中継局周波数割当決定部、
前記中継局周波数割当決定部が決定した制限帯域を隣接セルの基地局に通知する通知部、
前記中継局周波数割当決定部が決定した制限帯域に則って、自セル内の無線リソースのスケジューリングを行なうとともに、隣接セルから制限帯域が通知されたときには、当該隣接セルの制限帯域を避け、又は、優先順位を下げながら、自セルの中央周波数の割り当てを行なうスケジューラー、
として機能させるためのコンピューター・プログラム。
【請求項９】
内部の中央領域と端部の周辺領域からなるセル内の無線リソースを管理する基地局と、移動局と、前記基地局と自局に属する前記移動局の間を中継する中継局で構成される通信システムにおいて、前記中継局として動作する通信装置であって、
前記基地局並びに前記移動局と送受信するための通信部と、
前記基地局及び前記移動局間で中継するデータを一時的に保持するバッファーと、
前記基地局から通知されたスケジューリング情報を記憶するスケジューリング情報保持メモリーと、
前記基地局及び前記移動局間の中継動作を含む、前記通信部による通信動作を、前記スケジューリング情報に基づいて制御する制御部と、
を具備し、
前記通信部は、前記周辺周波数のうち、隣接セルにおいて中央周波数としての使用を制限するように自局に割り当てられた制限帯域を使用して無線信号を送信する、
通信装置。
【請求項１０】
内部の中央領域と端部の周辺領域からなるセル内の無線リソースを管理する基地局と、移動局と、前記基地局と自局に属する前記移動局の間を中継する中継局で構成される通信システムにおいて、前記移動局として動作する通信装置であって、
前記基地局並びに前記中継局と送受信するための通信部と、
前記基地局から通知されたスケジューリング情報を記憶するスケジューリング情報保持メモリーと、
前記通信部による通信動作を、前記スケジューリング情報に基づいて制御する制御部と、
を具備し、
前記通信部は、前記周辺周波数のうち、隣接セルにおいて中央周波数としての使用を制限するように前記中継局に割り当てられた制限帯域を使用する無線信号を受信する、
通信装置。
【請求項１１】
それぞれ中央周波数を使用するセル内部の中央領域と複数セル周波数繰り返しによる周辺周波数を使用するセル端部の周辺領域からなり、基地局と移動局間を中継する中継局を設置することが許容される、隣接する第１のセルと第２のセルを含み、
前記第２のセル側では、自セルの中央周波数のうち干渉を受けたくない不干渉帯域を決定し、
前記第１のセル側では、自セルの周辺周波数のうち前記不干渉帯域の中継局への割り当てを禁止する、
通信システム。
【請求項１２】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
前記中央周波数のうち干渉を受けたくない不干渉帯域を決定する中継局周波数割当決定部と、
前記中継局周波数割当決定部が決定した不干渉帯域を隣接セルの基地局に通知する通知部と、
隣接セルから不干渉帯域が通知されたときには、前記周辺周波数のうち隣接セルの不干渉帯域を避けながら、自セル内の無線リソースのスケジューリングを行なうスケジューラーと、
を具備する通信装置。
【請求項１３】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
前記中央周波数のうち干渉を受けたくない不干渉帯域を決定する中継局周波数割当決定ステップと、
前記中継局周波数割当決定ステップにおいて決定した不干渉帯域を隣接セルの基地局に通知する通知ステップと、
隣接セルから不干渉帯域が通知されたときには、前記周辺周波数のうち隣接セルの不干渉帯域を避けながら、自セル内の無線リソースのスケジューリングを行なうステップと、
を有する通信方法。
【請求項１４】
内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
前記中央周波数のうち干渉を受けたくない不干渉帯域を決定する中継局周波数割当決定部、
前記中継局周波数割当決定部が決定した不干渉帯域を隣接セルの基地局に通知する通知部、
隣接セルから不干渉帯域が通知されたときには、前記周辺周波数のうち隣接セルの不干渉帯域を避けながら、自セル内の無線リソースのスケジューリングを行なうスケジューラー、
として機能させるためのコンピューター・プログラム。
【請求項１５】
内部の中央領域と端部の周辺領域からなるセル内の無線リソースを管理する基地局と、移動局と、前記基地局と自局に属する前記移動局の間を中継する中継局で構成される通信システムにおいて、前記中継局として動作する通信装置であって、
前記基地局並びに前記移動局と送受信するための通信部と、
前記基地局及び前記移動局間で中継するデータを一時的に保持するバッファーと、
前記基地局から通知されたスケジューリング情報を記憶するスケジューリング情報保持メモリーと、
前記基地局及び前記移動局間の中継動作を含む、前記通信部による通信動作を、前記スケジューリング情報に基づいて制御する制御部と、
を具備し、
前記通信部は、隣接セルの中央周波数のうち不干渉帯域を避けるように、前記周辺周波数の中から自局に割り当てられた周波数帯域を使用して無線信号を送信する、
通信装置。
【請求項１６】
内部の中央領域と端部の周辺領域からなるセル内の無線リソースを管理する基地局と、移動局と、前記基地局と自局に属する前記移動局の間を中継する中継局で構成される通信システムにおいて、前記移動局として動作する通信装置であって、
前記基地局並びに前記中継局と送受信するための通信部と、
前記基地局から通知されたスケジューリング情報を記憶するスケジューリング情報保持メモリーと、
前記通信部による通信動作を、前記スケジューリング情報に基づいて制御する制御部と、
を具備し、
前記通信部は、隣接セルの中央周波数のうち不干渉帯域を避けるように、前記周辺周波数の中から前記中継局に割り当てられた周波数帯域を使用する無線信号を受信する、
通信装置。
【請求項１７】
それぞれ中央周波数を使用するセル内部の中央領域と複数セル周波数繰り返しによる周辺周波数を使用するセル端部の周辺領域からなり、基地局と移動局間を中継する中継局を設置することが許容される、複数のセルからなり、
少なくとも１つのセル内では、自セルの周辺領域にいる中継局に対して、当該中継局の設置位置から近い隣接セル側の中央周波数への干渉成分となる帯域を避けて、自セルの周辺周波数の中から周波数を割り当てる、
通信システム。
【請求項１８】
共通の周辺周波数を割り当てる複数セルのグループにおいて、共通する隣接セルの中央周波数で且つ前記共通の周辺周波数の中から、前記共通する隣接セルの近くに配置された中継局に割り当てる共通の周波数帯域を決定する、
請求項１７に記載の通信システム。
【請求項１９】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
自セルに属する各中継局の位置情報並びに隣接セルの位置情報を記憶する位置情報保持メモリーと、
前記位置情報保持メモリーに記憶されている位置情報に基づいて中継局から近い隣接セルを推定し、当該隣接セルの中央周波数のうち干渉を与える可能性が高い領域を避けながら、自セルの周辺周波数の中から当該中継局が使用する与干渉帯域を決定する中継局周波数割当決定部と、
前記中継局周波数割当決定部が決定した与干渉帯域に関する情報を隣接セルに通知する通知部と、
自セルの周辺領域にいる中継局に対して、当該中継局の設置位置から近い隣接セル側の中央周波数への干渉成分となる帯域を避けて、自セルの周辺周波数の中から周波数を割り当てるとともに、隣接セルから通知される与干渉領域を避けて自セルの中央周波数の割り当てを行なうスケジューラーと、
を具備する通信装置。
【請求項２０】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
自セルに属する各中継局の位置情報並びに隣接セルの位置情報を取得するステップと、
前記位置情報に基づいて中継局から近い隣接セルを推定し、当該隣接セルの中央周波数のうち干渉を与える可能性が高い領域を避けながら、自セルの周辺周波数の中から当該中継局が使用する与干渉帯域を決定する中継局周波数割当決定ステップと、
前記中継局周波数割当決定ステップにおいて決定した与干渉帯域に関する情報を隣接セルに通知する通知ステップと、
自セルの周辺領域にいる中継局に対して、当該中継局の設置位置から近い隣接セル側の中央周波数への干渉成分となる帯域を避けて、自セルの周辺周波数の中から周波数を割り当てるとともに、隣接セルから通知される与干渉領域を避けて自セルの中央周波数の割り当てを行なうステップと、
を有する通信方法。
【請求項２１】
内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
自セルに属する各中継局の位置情報並びに隣接セルの位置情報を記憶する位置情報保持メモリー、
前記位置情報保持メモリーに記憶されている位置情報に基づいて中継局から近い隣接セルを推定し、当該隣接セルの中央周波数のうち干渉を与える可能性が高い領域を避けながら、自セルの周辺周波数の中から当該中継局が使用する与干渉帯域を決定する中継局周波数割当決定部、
前記中継局周波数割当決定部が決定した与干渉帯域に関する情報を隣接セルに通知する通知部、
自セルの周辺領域にいる中継局に対して、当該中継局の設置位置から近い隣接セル側の中央周波数への干渉成分となる帯域を避けて、自セルの周辺周波数の中から周波数を割り当てるとともに、隣接セルから通知される与干渉領域を避けて自セルの中央周波数の割り当てを行なうスケジューラー、
として機能させるためのコンピューター・プログラム。
【請求項２２】
内部の中央領域と端部の周辺領域からなるセル内の無線リソースを管理する基地局と、移動局と、前記基地局と自局に属する前記移動局の間を中継する中継局で構成される通信システムにおいて、前記中継局として動作する通信装置であって、
前記基地局並びに前記移動局と送受信するための通信部と、
前記基地局及び前記移動局間で中継するデータを一時的に保持するバッファーと、
前記基地局から通知されたスケジューリング情報を記憶するスケジューリング情報保持メモリーと、
前記基地局及び前記移動局間の中継動作を含む、前記通信部による通信動作を、前記スケジューリング情報に基づいて制御する制御部と、
を具備し、
前記通信部は、自局の設置位置から近い隣接セル側の中央周波数への干渉成分となる帯域を避けるように、前記周辺周波数の中から自局に割り当てられた周波数帯域を使用して無線信号を送信する、
通信装置。
【請求項２３】
内部の中央領域と端部の周辺領域からなるセル内の無線リソースを管理する基地局と、移動局と、前記基地局と自局に属する前記移動局の間を中継する中継局で構成される通信システムにおいて、前記移動局として動作する通信装置であって、
前記基地局並びに前記中継局と送受信するための通信部と、
前記基地局から通知されたスケジューリング情報を記憶するスケジューリング情報保持メモリーと、
前記通信部による通信動作を、前記スケジューリング情報に基づいて制御する制御部と、
を具備し、
前記通信部は、前記中継局の設置位置から近い隣接セル側の中央周波数への干渉成分となる帯域を避けるように、前記周辺周波数の中から前記中継局に割り当てられた周波数帯域を使用する無線信号を受信する、
通信装置。
【請求項２４】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
自セルに属する各中継局の位置情報並びに隣接セルの位置情報を記憶する位置情報保持メモリーと、
自セルで使用する周辺周波数、並びに、自セルに隣接する各セルの周辺周波数を記憶する周波数情報保持メモリーと、
前記位置情報保持メモリーに記憶されている位置情報に基づいて中継局から近い隣接セルを推定し、前記周波数情報保持メモリーに記憶されている自セル並びに当該隣接セルの周辺周波数を取り出して、当該中継局に対し、当該隣接セルの中央周波数で且つ自セルの周辺周波数の中から、共通の周辺周波数を割り当てるセルのグループで共通となる周波数帯域を割り当てる中継局周波数割当決定部と、
前記中継局周波数割当決定部が中継局に割り当てた領域に則るとともに、共通の周辺周波数を割り当てる隣接セルのグループにおいて自セルの近くに配置した中継局に共通に割り当てられた与干渉帯域を避けながら、自セルの中央周波数に関してスケジューリングを行なうスケジューラーと、
を具備する通信装置。
【請求項２５】
内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
自セルに属する各中継局の位置情報並びに隣接セルの位置情報を記憶するステップと、
自セルで使用する周辺周波数、並びに、自セルに隣接する各セルの周辺周波数を記憶するステップと、
前記位置情報に基づいて中継局から近い隣接セルを推定するとともに当該隣接セルの周辺周波数を特定し、当該中継局に対し、当該隣接セルの中央周波数で且つ自セルの周辺周波数の中から、共通の周辺周波数を割り当てるセルのグループで共通となる周波数帯域を割り当てる中継局周波数割当決定ステップと、
前記中継局周波数割当決定ステップにおいて中継局に割り当てた領域に則るとともに、共通の周辺周波数を割り当てる隣接セルのグループにおいて自セルの近くに配置した中継局に共通に割り当てられた与干渉帯域を避けながら、自セルの中央周波数に関してスケジューリングを行なうステップと、
を有する通信方法。
【請求項２６】
内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
自セルに属する各中継局の位置情報並びに隣接セルの位置情報を記憶する位置情報保持メモリー、
自セルで使用する周辺周波数、並びに、自セルに隣接する各セルの周辺周波数を記憶する周波数情報保持メモリー、
前記位置情報保持メモリーに記憶されている位置情報に基づいて中継局から近い隣接セルを推定し、前記周波数情報保持メモリーに記憶されている自セル並びに当該隣接セルの周辺周波数を取り出して、当該中継局に対し、当該隣接セルの中央周波数で且つ自セルの周辺周波数の中から、共通の周辺周波数を割り当てるセルのグループで共通となる周波数帯域を割り当てる中継局周波数割当決定部、
前記中継局周波数割当決定部が中継局に割り当てた領域に則るとともに、共通の周辺周波数を割り当てる隣接セルのグループにおいて自セルの近くに配置した中継局に共通に割り当てられた与干渉帯域を避けながら、自セルの中央周波数に関してスケジューリングを行なうスケジューラー、
として機能させるためのコンピューター・プログラム。
【請求項２７】
内部の中央領域と端部の周辺領域からなるセル内の無線リソースを管理する基地局と、移動局と、前記基地局と自局に属する前記移動局の間を中継する中継局で構成される通信システムにおいて、前記中継局として動作する通信装置であって、
前記基地局並びに前記移動局と送受信するための通信部と、
前記基地局及び前記移動局間で中継するデータを一時的に保持するバッファーと、
前記基地局から通知されたスケジューリング情報を記憶するスケジューリング情報保持メモリーと、
前記基地局及び前記移動局間の中継動作を含む、前記通信部による通信動作を、前記スケジューリング情報に基づいて制御する制御部と、
を具備し、
前記通信部は、自局から近い隣接セルの中央周波数で且つ自セルの周辺周波数の中から、周辺領域に共通の周辺周波数を割り当てるセルのグループで共通となる周波数帯域を使用して無線信号を送信する、
通信装置。
【請求項２８】
内部の中央領域と端部の周辺領域からなるセル内の無線リソースを管理する基地局と、移動局と、前記基地局と自局に属する前記移動局の間を中継する中継局で構成される通信システムにおいて、前記移動局として動作する通信装置であって、
前記基地局並びに前記中継局と送受信するための通信部と、
前記基地局から通知されたスケジューリング情報を記憶するスケジューリング情報保持メモリーと、
前記通信部による通信動作を、前記スケジューリング情報に基づいて制御する制御部と、
を具備し、
前記通信部は、前記中継局の設置位置から近い隣接セルの中央周波数で且つ自セルの周辺周波数の中から、周辺領域に共通の周辺周波数を割り当てるセルのグループで共通となる周波数帯域を使用する無線信号を受信する、
通信装置。
【発明の詳細な説明】
【技術分野】
【０００１】
本発明は、中継局の介在により基地局がセル内の移動局と通信する通信システム、通信装置及び通信方法、並びにコンピューター・プログラムに係り、特に、インターセル・インターフェアレンス・コーディネーションを適用した中継方式の通信システム、通信装置及び通信方法、並びにコンピューター・プログラムに関する。
【背景技術】
【０００２】
情報処理、情報通信技術の普及を背景として通信サービスの多様化が進んでいるが、とりわけ携帯電話を始めとする移動体通信の成長は目覚しい。現在、３ＧＰＰ（Ｔｈｉｒｄ  Ｇｅｎｅｒａｔｏｉｎ  Ｐａｒｔｎｅｒｓｈｉｐ  Ｐｒｏｊｅｃｔ）では、ＩＴＵ（Ｉｎｔｅｒｎａｔｉｏｎａｌ  Ｔｅｌｅｃｏｍｍｕｎｉｃａｔｉｏｎ  Ｕｎｉｏｎ：国際電気通信連合）が策定した第３世代（３Ｇ）移動通信システムの世界標準「ＩＭＴ（Ｉｎｔｅｒｎａｔｉｏｎａｌ  Ｍｏｂｉｌｅ  Ｔｅｌｅｃｏｍｍｕｎｉｃａｔｉｏｎｓ）−２０００」の標準化作業が行なわれている。３ＧＰＰが策定したデータ通信仕様の１つである「ＬＴＥ（Ｌｏｎｇ  Ｔｅｒｍ  Ｅｖｏｌｕｔｉｏｎ）」は、第４世代（４Ｇ）のＩＭＴ−Ａｄｖａｎｃｅｄを目指した長期的高度化システムであり、「３．９Ｇ（スーパー３Ｇ）」とも呼ばれる。
【０００３】
ＬＴＥは、ＯＦＤＭ変調方式を基本とした通信方式であり、また、ダウンリンクの無線アクセス方式にはＯＦＤＭＡを採用する。ここで、ＯＦＤＭ（Ｏｒｔｈｏｇｏｎａｌ  Ｆｒｅｑｕｅｎｃｙ  Ｄｉｖｉｓｉｏｎ  Ｍｕｌｔｉｐｌｅｘｉｎｇ：直交周波数分割多重）は、複数のデータを「直交」すなわち互いに干渉し合わない周波数サブキャリアに割り当てるマルチキャリア方式であり、各サブキャリアについて逆ＦＦＴ（Ｆａｓｔ  Ｆｏｕｒｉｅｒ  Ｔｒａｎｓｆｏｒｍ）を行なうことで周波数軸での各サブキャリアを時間軸の信号に変換して伝送することができる。送信データを周波数が直交する複数のキャリアに分配して伝送するので、各キャリアの帯域が狭帯域となり、周波数利用効率が非常に高く、マルチパスにより遅延ひずみ（周波数選択性フェージング妨害）に強いという特徴がある。また、ＯＦＤＭＡ（Ｏｒｔｈｏｇｏｎａｌ  Ｆｒｅｑｕｅｎｃｙ  Ｄｉｖｉｓｉｏｎ  Ｍｕｌｔｉｐｌｅ  Ａｃｃｅｓｓ：直交周波数分割多元接続）は、１つの通信局がＯＦＤＭ信号の全サブキャリアを占有するのではなく、周波数軸上のサブキャリアのセットを複数の通信局に割り当てて、複数の通信局でサブキャリアをシェアする多元接続方式である。複数のユーザーが、異なるサブキャリア、又は、異なるタイムスロットをそれぞれ使用すれば（すなわち、周波数方向と時間方向で分割多重することで）、干渉なく通信することができる。
【０００４】
３ＧＰＰでは、第４世代移動通信システムに向けＬＴＥをさらに発展させた標準規格「ＬＴＥ−Ａｄｖａｎｃｅｄ」において、１００ＭＨｚ近い帯域幅をサポートし、最大でピーク速度１Ｇｂｐｓの実現を目指している。例えば、マルチユーザーＭＩＭＯ（ＭＵ−ＭＩＭＯ）若しくはＳＤＭＡ（Ｓｐａｃｅ  Ｄｉｖｉｓｉｏｎ  Ｍｕｌｔｕｐｌｅ  Ａｃｃｅｓｓ）のように、空間軸上の無線リソースを複数のユーザーで共有する空間分割多元接続方式が有力である。
【０００５】
また、セル・エッジでのスループットを向上するために、リレー技術がＬＴＥ−Ａｄｖａｎｃｅｄ向けに検討されている。ここで言うリレー技術とは、コア・ネットワークに接続された基地局のエリア（セル）内に中継局（Ｒｅｌａｙ  Ｓｔａｔｉｏｎ：ＲＳ）を設置し、基地局と中継局間でホッピング通信させる仕組みである。１〜２Ｍｂｐｓ程度ではＢＰＳＫ（Ｂｉｎａｒｙ  Ｐｈａｓｅ  Ｓｈｆｔ  Ｋｅｙｉｎｇ：２相位相偏移変調）やＱＰＳＫ（Ｑｕａｄｒａｔｕｒｅ  ＰＳＫ：４相位相偏移変調）などの変調方式を適用することができ、セル・エッジでの所要ＳＮＲ（Ｓｉｇｎａｌ−ｔｏ−Ｎｏｉｓｅ  Ｒａｔｉｏ：信号対雑音比）が低くても許容されるが、これに対し、１００Ｍｂｐｓ若しくはそれ以上の通信速度を得るには、セル全体にわたりＳＮＲを高く保つ必要がある。また、動作周波数が高くなると伝搬ロスが大きくなり、しかもフェージングに敏感であるため、基地局のカバー面積が悪化する。単体の基地局ではセル・エッジでパフォーマンスが落ちてしまうが、中継局はこれを補うものである。
【０００６】
ダウンリンクにおいては、中継局は、基地局からの受信信号を増幅してから、移動局に対して送信を行なう。中継局が中継することで、基地局から移動局に対して信号を直接送信するよりも、ＳＮＲを高くすることが可能である。他方、アップリンクにおいては、中継局は、移動局からの信号を中継局が受信して、それを基地局に対して送信することによりＳＮＲを高く保つことができる（本明細書では、基地局（Ｂａｓｅ  Ｓｔａｔｉｏｎ：ＢＳ）から移動局（Ｍｏｂｉｌｅ  Ｓｔａｔｉｏｎ：ＭＳ）に向かう下りの無線アクセスを「ダウンリンク」と呼び、移動局から基地局に向かう上りの無線アクセスを「アップリンク」と呼ぶ）。
【０００７】
例えば、基地局が、端末にリソースを割り当て、現在のタイムスロットにおいて下り信号を送信し、次のタイムスロットにおいて中継局を介して端末からの上り信号を受信し、中継局が、現在のタイムスロットにおいて基地局からの下り信号と端末からの上り信号を受信し、次のタイムスロットにおいて、受信した下り信号を端末へ送信し、上り信号を基地局へ送信し、端末が、現在のタイムスロットにおいて上り信号を送信し、次のタイムスロットにおいて中継局を介して下り信号を受信する、セルラーシステムについて提案がなされている（例えば、特許文献１を参照のこと）。
【０００８】
中継局が基地局と移動局間を中継する方式を、受信信号の送信方法により以下の２種類に分類することができる。
【０００９】
１番目は、中継局が基地局からの受信信号をアナログ信号のまま増幅して再送する、「Ａｍｐｌｉｆｙ−ａｎｄ−Ｆｏｒｗａｒｄ（ＡＦ）」と呼ぶ方式である。ＡＦ方式では、移動局でのＳＮＲを改善することができないので、中継局は、信号強度が十分大きい領域で中継する必要がある。また、送信アンテナと受信アンテナの間でフィードバック経路があるために発振をしないように考慮する必要がある。ＡＦ方式の利点としては、通信プロトコルに一切の改良が必要でないことである。
【００１０】
２番目は、中継局が基地局からの受信信号をディジタル処理した後に増幅して送信する、「Ｄｅｃｏｄｅ−ａｎｄ−Ｆｏｒｗａｒｄ（ＤＦ）」と呼ぶ方式である。すなわち、中継局は、基地局からの受信信号をＡＤ変換でディジタル信号に変換して、その信号を誤り訂正などの復号処理を行なってから、再度符号化し、ＤＡ変換でアナログ信号に変換して、その信号を増幅して送信する。ＤＦ方式によれば、符号化利得によってＳＮを改善することが可能である。また、中継局は、ディジタル信号に変換した信号をメモリーに蓄積し、その信号を次のタイムスロットで送信することにより、送信アンテナと受信アンテナ間の信号に回り込みの問題も避けることができる。また、送信と受信でタイムスロットを変えるのではなく、周波数を変えることによっても発振を抑えることができる。
【００１１】
３ＧＰＰの将来のネットワークであるＬＴＥ−Ａｄｖａｎｃｅｄにおいては、ＡＦ方式よりも、ＳＮＲを改善可能なＤＦ方式の方が主流になる可能性が高い。
【００１２】
ＬＴＥやＬＴＥ−Ａｄｖａｎｃｅｄでは、通信の遅延を少なくすることが求められており、具体的には、ユーザー間での遅延を５０ミリ秒以下にすることが要求されている。このため、リレー技術を導入する場合には、中継局の介在に伴って発生する遅延の問題を十分考慮する必要がある。
【００１３】
ＤＦ型の中継方式は、符号化利得によりＳＮを改善するが、復号及び再符号化のために遅延が大きい。このため、遅延要求が厳しいチャネルには、遅延が少なくて済むＡＦ型を使用し、遅延要求が厳しくないチャネルには、ＤＦ型を適用するという方法が提案されている。
【００１４】
また、ＤＦ型の中継方式において、干渉を避けるために時分割でタイムスロットを変えて中継する場合には、タイムスロット単位で遅延が増加する。中継局が受信信号を再符号化して送信する際の遅延を１サブフレーム又はタイムスロットの遅延に揃えることが多い。これは、ＬＴＥの下位互換性を保ったまま中継局を導入する場合に、このような区切りが互換性を保ち易いからである。また、１サブフレームは、ＴＤＤのアップリンクとダウンリンクの区切りなので、中継局の遅延の単位として採用し易い。
【００１５】
また、ＬＴＥでは、隣接セル間での同一チャネルの干渉の影響を低減するために、インターセル・インターフェアレンス・コーディネーション（ＩｎｔｅｒＣｅｌｌ  Ｉｎｔｅｒｆｅｒｅｎｃｅ  Ｃｏｏｒｄｉｎａｔｉｏｎ：ＩＣＩＣ）が提案されている。
【００１６】
インターセル・インターフェアレンス・コーディネーションは、例えば、１セル周波数繰り返しと複数セル周波数繰り返しを組み合わせたフラクショナル周波数繰り返しにより実現することができる。
【００１７】
各セルは、基地局から近いセル内部の中央領域と、基地局から離間したセル端の周辺領域に分けられる。基地局と中央領域の移動局との通信に割り当てられる「中央周波数」は、隣接セルと競合するが（すなわち、１セル周波数繰り返し）、中央領域内でしか信号が届かないような小さな送信電力に抑えることで、セル間の干渉を回避する。一方、周辺領域に信号が届くには大きな電力で送信しなければならないが、隣接セルの周辺領域同士は互いに異なる「周辺周波数」を使用することによって（すなわち、複数セル周波数繰り返し）、セル間の干渉を回避する。また、１つの移動局がＯＦＤＭ信号の全サブキャリアを占有するのではなく、基地局に近い移動局に中央周波数のサブキャリアを割り当てるとともに、基地局から離間した移動局に周辺周波数のサブキャリアを割り当て、複数の移動局でサブキャリアをシェアして多元接続（ＯＦＤＭＡ）を行なうことができる。
【００１８】
ところが、インターセル・インターフェアレンス・コーディネーションを採り入れたセルラーシステムに上述したリレー技術を導入すると、中継局から再送される信号が隣接セルを干渉することが懸念される。何故ならば、リレー技術は中継局の介在によりセル・エッジでのスループットを向上させるが、このことはセル・エッジ近傍での電力を増大させることに等しいからである。中継局は、基地局に比べセル周縁に近づいていることから、隣接セルの中央周波数に干渉を与える可能性が高くなる。また、逆に、隣接セルの中央周波数から干渉を受ける可能性も高くなる。
【００１９】
基地局が周辺周波数の信号を強電力で送信しても、セル・エッジでは十分減衰することから、隣接セルの中央周波数に対する干渉はわずかなものである。これに対し、中継局は、よりセル・エッジの近くで周辺周波数を送信するため、隣接セルの中央周波数を使用している移動局の受信に干渉を与える可能性がとりわけ高い。
【００２０】
他方、基地局は、周辺領域にいる移動局から周辺周波数を用いた信号を受信するが、隣接セルの中央周波数との間の干渉は少ない。何故ならば、隣接セルの基地局と自セルの基地局は十分に離間し、且つ、基地局は中央周波数での送信電力を小さく抑えているからである。周辺領域にいる中継局の受信も、同様に問題ないと考えられる。
【００２１】
要するに、セルラーシステムにリレー技術を導入すると、周辺領域にいる移動局は、隣接セルの中央周波数となる自セルの周辺周波数を用いているため、移動局の受信に問題が生じると考えられる。
【先行技術文献】
【特許文献】
【００２２】
【特許文献１】特開２００８−２２５５８号公報
【発明の開示】
【発明が解決しようとする課題】
【００２３】
本発明の目的は、中継局の介在により基地局がセル内の移動局と好適に通信することができる、優れた通信システム、通信装置及び通信方法、並びにコンピューター・プログラムを提供することにある。
【００２４】
本発明のさらなる目的は、インターセル・インターフェアレンス・コーディネーションを好適に行なうことができる、優れた中継方式の通信システム、通信装置及び通信方法、並びにコンピューター・プログラムを提供することにある。
【００２５】
本発明のさらなる目的は、インターセル・インターフェアレンス・コーディネーションを適用しながら、リレー技術を導入することに伴う隣接セルの干渉の問題を好適に解決することができる、優れた通信システム、通信装置及び通信方法、並びにコンピューター・プログラムを提供することにある。
【課題を解決するための手段】
【００２６】
本願は、上記課題を参酌してなされたものであり、請求項１に記載の発明は、
それぞれ基地局と移動局間を中継する中継局を設置することが許容される、隣接する第１のセルと第２のセルを含み、
前記第１のセル側では、自セル内の中継局への割り当てを一部の制限帯域に制限し、
前記第２のセル側では、前記制限帯域を避け又は優先度を下げて、自セル内の移動局に周波数を割り当てる、
通信システムである。
【００２７】
但し、ここで言う「システム」とは、複数の装置（又は特定の機能を実現する機能モジュール）が論理的に集合した物のことを言い、各装置や機能モジュールが単一の筐体内にあるか否かは特に問わない（以下、同様）。
【００２８】
また、本願の請求項２に記載の発明は、
それぞれ中央周波数を使用するセル内部の中央領域と複数セル周波数繰り返しによる周辺周波数を使用するセル端部の周辺領域からなり、基地局と移動局間を中継する中継局を設置することが許容される、隣接する第１のセルと第２のセルを含み、
前記第１のセル側では、自セルの周辺周波数のうち中継局への割り当てを一部の制限帯域に制限し、
前記第２のセル側では、前記制限帯域を避け又は優先度を下げて、自セルの中央周波数を移動局に割り当てる、
通信システムである。
【００２９】
本願の請求項３に記載の発明によれば、請求項２に記載の通信システムにおいて、第１のセル側では、中継局に対する周波数割り当てを時間とともに周波数ホッピングさせるように構成されている。
【００３０】
また、本願の請求項４に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
前記周辺周波数のうち前記中継局に割り当てる制限帯域を決定する中継局周波数割当決定部と、
前記中継局周波数割当決定部が決定した制限帯域を隣接セルの基地局に通知する通知部と、
前記中継局周波数割当決定部が決定した制限帯域に則って、自セル内の無線リソースのスケジューリングを行なうスケジューラーと、
を具備する通信装置である。
【００３１】
本願の請求項５に記載の発明によれば、請求項４に記載の通信装置において、スケジューラーは、中継局に対する周波数割り当てを時間とともに周波数ホッピングさせるように構成されている。
【００３２】
本願の請求項６に記載の発明によれば、請求項４に記載の通信装置において、スケジューラーは、隣接セルから制限帯域が通知されたときには、当該隣接セルの制限帯域を避け、又は、優先順位を下げながら、自セルの中央周波数の割り当てを行なうように構成されている。
【００３３】
また、本願の請求項７に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
前記周辺周波数のうち前記中継局に割り当てる制限帯域を決定する中継局周波数割当決定ステップと、
前記中継局周波数割当決定ステップにおいて決定した制限帯域を隣接セルの基地局に通知する通知ステップと、
前記中継局周波数割当決定ステップにおいて決定した制限帯域に則って、自セル内の無線リソースのスケジューリングを行なうステップと、
隣接セルから制限帯域が通知されたときには、当該隣接セルの制限帯域を避け、又は、優先順位を下げながら、自セルの中央周波数の割り当てを行なうステップと、
を有する通信方法である。
【００３４】
また、本願の請求項８に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
前記周辺周波数のうち前記中継局に割り当てる制限帯域を決定する中継局周波数割当決定部、
前記中継局周波数割当決定部が決定した制限帯域を隣接セルの基地局に通知する通知部、
前記中継局周波数割当決定部が決定した制限帯域に則って、自セル内の無線リソースのスケジューリングを行なうとともに、隣接セルから制限帯域が通知されたときには、当該隣接セルの制限帯域を避け、又は、優先順位を下げながら、自セルの中央周波数の割り当てを行なうスケジューラー、
として機能させるためのコンピューター・プログラムである。
【００３５】
本願の請求項８に係るコンピューター・プログラムは、コンピューター上で所定の処理を実現するようにコンピューター可読形式で記述されたコンピューター・プログラムを定義したものである。換言すれば、本願の請求項８に係るコンピューター・プログラムをコンピューターにインストールすることによって、コンピューター上では協働的作用が発揮され、本願の請求項４に係る通信装置と同様の作用効果を得ることができる。
【００３６】
また、本願の請求項９に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記中継局として動作する通信装置であって、
前記基地局並びに前記移動局と送受信するための通信部と、
前記基地局及び前記移動局間で中継するデータを一時的に保持するバッファーと、
前記基地局から通知されたスケジューリング情報を記憶するスケジューリング情報保持メモリーと、
前記基地局及び前記移動局間の中継動作を含む、前記通信部による通信動作を、前記スケジューリング情報に基づいて制御する制御部と、
を具備し、
前記通信部は、前記周辺周波数のうち、隣接セルにおいて中央周波数としての使用を制限するように自局に割り当てられた制限帯域を使用して無線信号を送信する、
通信装置である。
【００３７】
また、本願の請求項１０に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記移動局として動作する通信装置であって、
前記基地局並びに前記中継局と送受信するための通信部と、
前記基地局から通知されたスケジューリング情報を記憶するスケジューリング情報保持メモリーと、
前記通信部による通信動作を、前記スケジューリング情報に基づいて制御する制御部と、
を具備し、
前記通信部は、前記周辺周波数のうち、隣接セルにおいて中央周波数としての使用を制限するように前記中継局に割り当てられた制限帯域を使用する無線信号を受信する、
通信装置である。
【００３８】
また、本願の請求項１１に記載の発明は、
それぞれ中央周波数を使用するセル内部の中央領域と複数セル周波数繰り返しによる周辺周波数を使用するセル端部の周辺領域からなり、基地局と移動局間を中継する中継局を設置することが許容される、隣接する第１のセルと第２のセルを含み、
前記第２のセル側では、自セルの中央周波数のうち干渉を受けたくない不干渉帯域を決定し、
前記第１のセル側では、自セルの周辺周波数のうち前記不干渉帯域の中継局への割り当てを禁止する、
通信システムである。
【００３９】
また、本願の請求項１２に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
前記中央周波数のうち干渉を受けたくない不干渉帯域を決定する中継局周波数割当決定部と、
前記中継局周波数割当決定部が決定した不干渉帯域を隣接セルの基地局に通知する通知部と、
隣接セルから不干渉帯域が通知されたときには、前記周辺周波数のうち隣接セルの不干渉帯域を避けながら、自セル内の無線リソースのスケジューリングを行なうスケジューラーと、
を具備する通信装置である。
【００４０】
また、本願の請求項１３に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
前記中央周波数のうち干渉を受けたくない不干渉帯域を決定する中継局周波数割当決定ステップと、
前記中継局周波数割当決定ステップにおいて決定した不干渉帯域を隣接セルの基地局に通知する通知ステップと、
隣接セルから不干渉帯域が通知されたときには、前記周辺周波数のうち隣接セルの不干渉帯域を避けながら、自セル内の無線リソースのスケジューリングを行なうステップと、
を有する通信方法である。
【００４１】
また、本願の請求項１４に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
前記中央周波数のうち干渉を受けたくない不干渉帯域を決定する中継局周波数割当決定部、
前記中継局周波数割当決定部が決定した不干渉帯域を隣接セルの基地局に通知する通知部、
隣接セルから不干渉帯域が通知されたときには、前記周辺周波数のうち隣接セルの不干渉帯域を避けながら、自セル内の無線リソースのスケジューリングを行なうスケジューラー、
として機能させるためのコンピューター・プログラムである。
【００４２】
本願の請求項１４に係るコンピューター・プログラムは、コンピューター上で所定の処理を実現するようにコンピューター可読形式で記述されたコンピューター・プログラムを定義したものである。換言すれば、本願の請求項１４に係るコンピューター・プログラムをコンピューターにインストールすることによって、コンピューター上では協働的作用が発揮され、本願の請求項１１に係る通信装置と同様の作用効果を得ることができる。
【００４３】
また、本願の請求項１５に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記中継局として動作する通信装置であって、
前記基地局並びに前記移動局と送受信するための通信部と、
前記基地局及び前記移動局間で中継するデータを一時的に保持するバッファーと、
前記基地局から通知されたスケジューリング情報を記憶するスケジューリング情報保持メモリーと、
前記基地局及び前記移動局間の中継動作を含む、前記通信部による通信動作を、前記スケジューリング情報に基づいて制御する制御部と、
を具備し、
前記通信部は、隣接セルの中央周波数のうち不干渉帯域を避けるように、前記周辺周波数の中から自局に割り当てられた周波数帯域を使用して無線信号を送信する、
通信装置である。
【００４４】
また、本願の請求項１６に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記移動局として動作する通信装置であって、
前記基地局並びに前記中継局と送受信するための通信部と、
前記基地局から通知されたスケジューリング情報を記憶するスケジューリング情報保持メモリーと、
前記通信部による通信動作を、前記スケジューリング情報に基づいて制御する制御部と、
を具備し、
前記通信部は、隣接セルの中央周波数のうち不干渉帯域を避けるように、前記周辺周波数の中から前記中継局に割り当てられた周波数帯域を使用する無線信号を受信する、
通信装置である。
【００４５】
また、本願の請求項１７に記載の発明は、それぞれ中央周波数を使用するセル内部の中央領域と複数セル周波数繰り返しによる周辺周波数を使用するセル端部の周辺領域からなり、基地局と移動局間を中継する中継局を設置することが許容される、複数のセルからなり、
少なくとも１つのセル内では、自セルの周辺領域にいる中継局に対して、当該中継局の設置位置から近い（すなわち、その設置位置に基づいて影響が強いとされる）隣接セル側の中央周波数への干渉成分となる与干渉帯域を避けて、自セルの周辺周波数の中から周波数を割り当てる、
通信システムである。
【００４６】
本願の請求項１８に記載の発明によれば、請求項１７に記載の通信システムにおいて、共通の周辺周波数を割り当てる複数セルのグループにおいて、共通する隣接セルの中央周波数で且つ前記共通の周辺周波数の中から、前記共通する隣接セルの近くに配置された中継局に割り当てる共通の周波数帯域を決定するように構成されている。
【００４７】
また、本願の請求項１９に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
自セルに属する各中継局の位置情報並びに隣接セルの位置情報を記憶する位置情報保持メモリーと、
前記位置情報保持メモリーに記憶されている位置情報に基づいて中継局から近い隣接セルを推定し、当該隣接セルの中央周波数のうち干渉を与える可能性が高い領域を避けながら、自セルの周辺周波数の中から当該中継局が使用する与干渉帯域を決定する中継局周波数割当決定部と、
前記中継局周波数割当決定部が決定した与干渉帯域に関する情報を隣接セルに通知する通知部と、
自セルの周辺領域にいる中継局に対して、当該中継局の設置位置から近い隣接セル側の中央周波数への干渉成分となる帯域を避けて、自セルの周辺周波数の中から周波数を割り当てるとともに、隣接セルから通知される与干渉領域を避けて自セルの中央周波数の割り当てを行なうスケジューラーと、
を具備する通信装置である。
【００４８】
また、本願の請求項２０に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
自セルに属する各中継局の位置情報並びに隣接セルの位置情報を取得するステップと、
前記位置情報に基づいて中継局から近い隣接セルを推定し、当該隣接セルの中央周波数のうち干渉を与える可能性が高い領域を避けながら、自セルの周辺周波数の中から当該中継局が使用する与干渉帯域を決定する中継局周波数割当決定ステップと、
前記中継局周波数割当決定ステップにおいて決定した与干渉帯域に関する情報を隣接セルに通知する通知ステップと、
自セルの周辺領域にいる中継局に対して、当該中継局の設置位置から近い隣接セル側の中央周波数への干渉成分となる帯域を避けて、自セルの周辺周波数の中から周波数を割り当てるとともに、隣接セルから通知される与干渉領域を避けて自セルの中央周波数の割り当てを行なうステップと、
を有する通信方法である。
【００４９】
また、本願の請求項２１に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
自セルに属する各中継局の位置情報並びに隣接セルの位置情報を記憶する位置情報保持メモリー、
前記位置情報保持メモリーに記憶されている位置情報に基づいて中継局から近い隣接セルを推定し、当該隣接セルの中央周波数のうち干渉を与える可能性が高い領域を避けながら、自セルの周辺周波数の中から当該中継局が使用する与干渉帯域を決定する中継局周波数割当決定部、
前記中継局周波数割当決定部が決定した与干渉帯域に関する情報を隣接セルに通知する通知部、
自セルの周辺領域にいる中継局に対して、当該中継局の設置位置から近い隣接セル側の中央周波数への干渉成分となる帯域を避けて、自セルの周辺周波数の中から周波数を割り当てるとともに、隣接セルから通知される与干渉領域を避けて自セルの中央周波数の割り当てを行なうスケジューラー、
として機能させるためのコンピューター・プログラムである。
【００５０】
本願の請求項２１に係るコンピューター・プログラムは、コンピューター上で所定の処理を実現するようにコンピューター可読形式で記述されたコンピューター・プログラムを定義したものである。換言すれば、本願の請求項２１に係るコンピューター・プログラムをコンピューターにインストールすることによって、コンピューター上では協働的作用が発揮され、本願の請求項１９に係る通信装置と同様の作用効果を得ることができる。
【００５１】
また、本願の請求項２２に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記中継局として動作する通信装置であって、
前記基地局並びに前記移動局と送受信するための通信部と、
前記基地局及び前記移動局間で中継するデータを一時的に保持するバッファーと、
前記基地局から通知されたスケジューリング情報を記憶するスケジューリング情報保持メモリーと、
前記基地局及び前記移動局間の中継動作を含む、前記通信部による通信動作を、前記スケジューリング情報に基づいて制御する制御部と、
を具備し、
前記通信部は、自局の設置位置から近い隣接セル側の中央周波数への干渉成分となる帯域を避けるように、前記周辺周波数の中から自局に割り当てられた周波数帯域を使用して無線信号を送信する、
通信装置である。
【００５２】
また、本願の請求項２３に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記移動局として動作する通信装置であって、
前記基地局並びに前記中継局と送受信するための通信部と、
前記基地局から通知されたスケジューリング情報を記憶するスケジューリング情報保持メモリーと、
前記通信部による通信動作を、前記スケジューリング情報に基づいて制御する制御部と、
を具備し、
前記通信部は、前記中継局の設置位置から近い隣接セル側の中央周波数への干渉成分となる帯域を避けるように、前記周辺周波数の中から前記中継局に割り当てられた周波数帯域を使用する無線信号を受信する、
通信装置である。
【００５３】
また、本願の請求項２４に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局として動作する通信装置であって、
自セルに属する各中継局の位置情報並びに隣接セルの位置情報を記憶する位置情報保持メモリーと、
自セルで使用する周辺周波数、並びに、自セルに隣接する各セルの周辺周波数を記憶する周波数情報保持メモリーと、
前記位置情報保持メモリーに記憶されている位置情報に基づいて中継局から近い隣接セルを推定し、前記周波数情報保持メモリーに記憶されている自セル並びに当該隣接セルの周辺周波数を取り出して、当該中継局に対し、当該隣接セルの中央周波数で且つ自セルの周辺周波数の中から、共通の周辺周波数を割り当てるセルのグループで共通となる周波数帯域を割り当てる中継局周波数割当決定部と、
前記中継局周波数割当決定部が中継局に割り当てた領域に則るとともに、共通の周辺周波数を割り当てる隣接セルのグループにおいて自セルの近くに配置した中継局に共通に割り当てられた与干渉帯域を避けながら、自セルの中央周波数に関してスケジューリングを行なうスケジューラーと、
を具備する通信装置である。
【００５４】
また、本願の請求項２５に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局として動作するための通信方法であって、
自セルに属する各中継局の位置情報並びに隣接セルの位置情報を記憶するステップと、
自セルで使用する周辺周波数、並びに、自セルに隣接する各セルの周辺周波数を記憶するステップと、
前記位置情報に基づいて中継局から近い隣接セルを推定するとともに当該隣接セルの周辺周波数を特定し、当該中継局に対し、当該隣接セルの中央周波数で且つ自セルの周辺周波数の中から、共通の周辺周波数を割り当てるセルのグループで共通となる周波数帯域を割り当てる中継局周波数割当決定ステップと、
前記中継局周波数割当決定ステップにおいて中継局に割り当てた領域に則るとともに、共通の周辺周波数を割り当てる隣接セルのグループにおいて自セルの近くに配置した中継局に共通に割り当てられた与干渉帯域を避けながら、自セルの中央周波数に関してスケジューリングを行なうステップと、
を有する通信方法である。
【００５５】
また、本願の請求項２６に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記基地局としての処理動作をコンピューター上で実行するようにコンピューター・プログラムであって、前記コンピューターを、
自セルに属する各中継局の位置情報並びに隣接セルの位置情報を記憶する位置情報保持メモリー、
自セルで使用する周辺周波数、並びに、自セルに隣接する各セルの周辺周波数を記憶する周波数情報保持メモリー、
前記位置情報保持メモリーに記憶されている位置情報に基づいて中継局から近い隣接セルを推定し、前記周波数情報保持メモリーに記憶されている自セル並びに当該隣接セルの周辺周波数を取り出して、当該中継局に対し、当該隣接セルの中央周波数で且つ自セルの周辺周波数の中から、共通の周辺周波数を割り当てるセルのグループで共通となる周波数帯域を割り当てる中継局周波数割当決定部、
前記中継局周波数割当決定部が中継局に割り当てた領域に則るとともに、共通の周辺周波数を割り当てる隣接セルのグループにおいて自セルの近くに配置した中継局に共通に割り当てられた与干渉帯域を避けながら、自セルの中央周波数に関してスケジューリングを行なうスケジューラー、
として機能させるためのコンピューター・プログラムである。
【００５６】
本願の請求項２６に係るコンピューター・プログラムは、コンピューター上で所定の処理を実現するようにコンピューター可読形式で記述されたコンピューター・プログラムを定義したものである。換言すれば、本願の請求項２６に係るコンピューター・プログラムをコンピューターにインストールすることによって、コンピューター上では協働的作用が発揮され、本願の請求項２４に係る通信装置と同様の作用効果を得ることができる。
【００５７】
また、本願の請求項２７に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記中継局として動作する通信装置であって、
前記基地局並びに前記移動局と送受信するための通信部と、
前記基地局及び前記移動局間で中継するデータを一時的に保持するバッファーと、
前記基地局から通知されたスケジューリング情報を記憶するスケジューリング情報保持メモリーと、
前記基地局及び前記移動局間の中継動作を含む、前記通信部による通信動作を、前記スケジューリング情報に基づいて制御する制御部と、
を具備し、
前記通信部は、自局から近い隣接セルの中央周波数で且つ自セルの周辺周波数の中から、周辺領域に共通の周辺周波数を割り当てるセルのグループで共通となる周波数帯域を使用して無線信号を送信する、
通信装置である。
【００５８】
また、本願の請求項２８に記載の発明は、内部の中央領域と端部の周辺領域からなるセル内の無線リソースを管理する基地局と、移動局と、前記基地局と自局に属する前記移動局の間を中継する中継局で構成される通信システムにおいて、前記移動局として動作する通信装置であって、
前記基地局並びに前記中継局と送受信するための通信部と、
前記基地局から通知されたスケジューリング情報を記憶するスケジューリング情報保持メモリーと、
前記通信部による通信動作を、前記スケジューリング情報に基づいて制御する制御部と、
を具備し、
前記通信部は、前記中継局の設置位置から近い隣接セルの中央周波数で且つ自セルの周辺周波数の中から、周辺領域に共通の周辺周波数を割り当てるセルのグループで共通となる周波数帯域を使用する無線信号を受信する、
通信装置である。
【発明の効果】
【００５９】
本発明によれば、インターセル・インターフェアレンス・コーディネーションを好適に行なうことができる、優れた中継方式の通信システム、通信装置及び通信方法、並びにコンピューター・プログラムを提供することができる。
【００６０】
また、本発明によれば、インターセル・インターフェアレンス・コーディネーションとしてフラクショナル周波数繰り返しを適用しながら、リレー技術を導入することに伴う隣接セルの干渉の問題を好適に解決することができる、優れた通信システム、通信装置及び通信方法、並びにコンピューター・プログラムを提供することができる。
【００６１】
本願の請求項１、２、４、６乃至１６に記載の発明によれば、中継局から送信される周辺周波数の信号による隣接セルの中央周波数への干渉を調整することが可能になり、周波数利用効率の向上を実現することができ、延いては、ユーザーのスループット向上に寄与する。
【００６２】
本願の請求項１、２、４、６乃至１６に記載の発明によれば、セル内で中継局に割り当てる周波数帯域を制限することによって、中継局から送信される周辺周波数の信号による隣接セルの中央周波数への干渉を調整することが可能になる。本願の請求項１、２、４、６乃至１０に記載の発明によれば、第１のセル側では、自セルの周辺周波数のうち中継局への割り当てを一部の制限帯域に制限するので、隣接する第２のセル側では、制限帯域を避け又は優先度を下げることによって、自セルの中央周波数が受ける干渉を調整することができる。また、本願の請求項１１乃至１６に記載の発明によれば、第２のセル側では、自セルの中央周波数のうち干渉を受けたくない不干渉帯域を決定し、これに対し、第１のセル側では、自セルの周辺周波数のうち前記不干渉帯域の中継局への割り当てを禁止するので、第２のセルにおいて中央周波数が受ける干渉を調整することができる。
【００６３】
本願の請求項３、５に記載の発明によれば、セル内で中継局に対する周波数割り当てを時間とともに周波数ホッピングさせることで、隣接セルの中心周波数に与える干渉の具合を平均化することができる。
【００６４】
本願の請求項１７、１９乃至２３に記載の発明によれば、中継局の位置に応じて周波数帯域の割り当てを行なうことによって、中継局から送信される周辺周波数の信号による隣接セルの中央周波数への干渉を調整することが可能になり、延いては、ユーザーのスループット向上に寄与する。
【００６５】
フラクショナル周波数繰り返しを適用するセルラーシステムでは、セルを周辺周波数に応じて繰り返し周波数の数分のグループに分けることができる。ある着目セルに隣接する複数の隣接セルの各々において、着目セルに近い中継局に対し、着目セルの周辺周波数と自セルの周辺周波数との関係に基づいて決定される周波数を割り当てるようにすれば、各隣接セル内で着目セルに近い中継局に割り当てられる周辺周波数はグループ毎に共通となる。したがって、本願の請求項１８、２４乃至２８に記載の発明によれば、各隣接セルが着目セルの中央周波数に与える影響を限定的にすることが可能となり、周波数利用効率がよくなる。
【００６６】
本発明のさらに他の目的、特徴や利点は、後述する本発明の実施形態や添付する図面に基づくより詳細な説明によって明らかになるであろう。
【図面の簡単な説明】
【００６７】
【図１】図１は、ＬＴＥのダウンリンクの無線フレーム構成を示した図である。
【図２】図２は、中継局が介在する場合と介在しない場合を含むセル内の基本的な通信動作を示した図である。
【図３Ａ】図３Ａは、フラクショナル周波数繰り返しによりインターセル・インターフェアレンス・コーディネーションを実現したセルラーシステムを示した図である。
【図３Ｂ】図３Ｂは、フラクショナル周波数繰り返しを行なうセル内での周波数割り当てを説明するための図である。
【図３Ｃ】図３Ｃは、フラクショナル周波数繰り返しを行なうセル内での周波数割り当てを説明するための図である。
【図３Ｄ】図３Ｄは、フラクショナル周波数繰り返しを行なうセル内での周波数割り当てを説明するための図である。
【図４】図４は、インターセル・インターフェアレンス・コーディネーションを適用したセル内で中継局を介した基地局と移動局間の通信例を示した図である。
【図５】図５は、図４中のケース１に適した中継方式の一例を示した図である。
【図６】図６は、図４中のケース１に適した中継方式の他の例を示した図である。
【図７】図７は、図４中のケース２に適した中継方式の一例を示した図である。
【図８Ａ】図８Ａは、中継局に割り当てる周波数帯域を制限することによって隣接セルの中央周波数への干渉を調整する、第１の方法を説明するための図である。
【図８Ｂ】図８Ｂは、中継局に割り当てる周波数帯域を制限することによって隣接セルの中央周波数への干渉を調整する、第１の方法を説明するための図である。
【図９】図９は、周辺周波数に割り当てられたリソース・ブロックの一部がリレーリンク専用にあらかじめ割り当てられている様子を示した図である。
【図１０】図１０は、中継局に割り当てる周波数帯域を制限する第１の方法を実現するためのシステム動作の手順を示したフローチャートである。
【図１１】図１１は、中継局に割り当てる周波数帯域を制限する第１の方法を実現するためのシステム動作の手順（変形例）を示したフローチャートである。
【図１２】図１２は、本発明の一実施形態に係るセルラーシステムにおいて動作する基地局が第１の方法を実現するための機能的構成を模式的に示した図である。
【図１３】図１３は、本発明の一実施形態に係るセルラーシステムにおいて動作する中継局の機能的構成を模式的に示した図である。
【図１４】図１４は、本発明の一実施形態に係るセルラーシステムにおいて動作する移動局の機能的構成を模式的に示した図である。
【図１５Ａ】図１５Ａは、フラクショナル周波数繰り返しを行なう３つのセル１〜３が隣接している様子を示した図（中継局の位置に応じて周波数帯域の割り当てを行なうことによって隣接セルの中央周波数への干渉を調整する、第２の方法を説明するための図）である。
【図１５Ｂ】図１５Ｂは、図１５Ａ中のセル１における周波数割り当て例を示した図である。
【図１５Ｃ】図１５Ｃは、図１５Ａ中のセル１における周波数割り当て例を示した図である。
【図１５Ｄ】図１５Ｄは、図１５Ａ中のセル１における周波数割り当て例を示した図である。
【図１６】図１６は、図１５Ａに示した通信環境下でのセル１における中継局１、中継局２への周波数割り当て例を示した図である。
【図１７】図１７は、中継局の位置に応じて周波数帯域の割り当てを行なうことによって隣接セルの中央周波数への干渉を調整する（第２の方法を実現する）ためのシステム動作の手順を示したフローチャートである。
【図１８】図１８は、本発明の一実施形態に係るセルラーシステムにおいて動作する基地局が図１７に示した処理手順に従って第２の方法を実現するための機能的構成を模式的に示した図である。
【図１９】図１９は、フラクショナル周波数繰り返しを行なう６つのセル１〜３が隣接している様子を示した図（同じセルに隣接するセル同士で互いに協調しながら、中継局の位置に応じて周波数帯域の割り当てを行なうことによって隣接セルの中央周波数への干渉を調整する、第２の方法を説明するための図）である。
【図２０】図２０は、図１９に示した通信環境下で、同じ周辺周波数を持つ複数の隣接セルのグループ毎に、中央セルに近い中継局に対して同一の与干渉帯域を割り当てたときの、中央セルの中央周波数の割り当て例を示した図である。
【図２１】図２１は、同じセルに隣接するセル同士で互いに協調しながら、中継局の位置に応じて周波数帯域の割り当てを行なうことによって隣接セルの中央周波数への干渉を調整する（第２の方法を実現する）ためのシステム動作の手順を示したフローチャートである。
【図２２】図２２は、本発明の一実施形態に係るセルラーシステムにおいて動作する基地局が図２１に示した処理手順に従って第２の方法を実現するための機能的構成を模式的に示した図である。
【発明を実施するための形態】
【００６８】
以下では、本発明をＬＴＥなどの移動通信システムに適用した実施形態について、図面を参照しながら詳細に説明する。
【００６９】
図１には、ＬＴＥのダウンリンクの無線フレーム構成を示している。図示のように、無線フレームは、時間単位の短い順に、タイムスロット（Ｓｌｏｔ）、サブフレーム（Ｓｕｂｆｒａｍｅ）、無線フレーム（Ｒａｄｉｏ  Ｆｒａｍｅ）の３層に階層化されている。
【００７０】
０．５ミリ秒長のタイムスロットは、７個のＯＦＤＭシンボルで構成され（但し、通常のユニキャスト伝送の場合）、ユーザー（移動局）側で受信する際の復調処理の単位となる。１ミリ秒長のサブフレームは、連続する２個のタイムスロットで構成され、訂正符号化された１データ・パケットの送信時間単位となる。１０ミリ秒長の無線フレームは、連続する１０個のサブフレーム（すなわち、２０個のタイムスロット）で構成され、すべての物理チャネルの多重に対する基本単位となる。
【００７１】
各ユーザーは、異なるサブキャリア、又は、異なるタイムスロットを使用すれば、互いに干渉することなく通信することができる。ＬＴＥでは、連続するサブキャリアをブロック化して、「リソース・ブロック（ＲＢ）」と呼ばれる、無線リソース割り当ての最小単位が定義される。基地局に搭載されているスケジューラーは、各ユーザーに対して、リソース・ブロック単位で無線リソースが割り当てる。リソース・ブロックは、１２サブキャリア×１タイムスロット（７ＯＦＤＭシンボル＝０．５ミリ秒）からなる。また、サブフレームの先頭から最大３ＯＦＤＭシンボルが、「Ｌ１／Ｌ２コントロール・シグナリング」と呼ばれるコントロール・チャネルに使用される。基地局のスケジューラーは、サブフレーム毎すなわち１ミリ秒間隔で、リソース・ブロックの割り当てを行なうことができる。リソース・ブロックの位置情報をスケジューリングと呼ぶ。アップリンクのスケジューリング情報及びダウンリンクのスケジューリング情報は、ともにダウンリンクのコントロール・チャネル内に記載される。各ユーザーは、コントロール・チャネルを見て、自分に割り当てられたリソース・ブロックを認識することができる。
【００７２】
０．５ミリ長のタイムスロットは、各ユーザーが使用できる割り当ての最小単位である。基地局に搭載されているスケジューラーは、ユーザー毎にタイムスロット単位で使用してもよいタイムスロットを割り当てる。ＬＴＥでは、ＦＤＤ（Ｆｒｅｑｕｅｎｃｙ  Ｄｉｖｉｓｉｏｎ  Ｄｕｐｌｅｘ）とＴＤＤ（Ｔｉｍｅ  Ｄｉｖｉｓｉｏｎ  Ｄｕｐｌｅｘ）の２通りの複信方式を選択することができる。ＴＤＤの場合には、１サブフレーム毎にアップリンク又はダウンリンクのいずれに使用するかを選択することができる。
【００７３】
本実施形態に係る通信システムでは、セル・エッジでのスループットの向上などを目的として、リレー技術を導入している。
【００７４】
中継局が介在する場合と介在しない場合を含むセル内の基本的な通信動作について、図２を参照しながら説明する。基地局（ＢＳ）と中継局（ＲＳ）の間を「リレーリンク（ＲｅｌａｙＬｉｎｋ）」と呼び、中継局と移動局（ＭＳ）の間を「アクセスリンク（ＡｃｃｅｓｓＬｉｎｋ）」と呼ぶ。また、中継局を使用しないで、基地局と移動局の間で直接通信するリンクを「ダイレクトリンク（ＤｉｒｅｃｔＬｉｎｋ）」と呼ぶ。また、同図中、ダウンリンクを実線矢印で、アップリンクを点線矢印で、それぞれ示している。
【００７５】
ＬＴＥでは、リソース・ブロック単位で無線リソースの割り当てが行なわれ、Ｌ１／Ｌ２シグナリングというコントロール・チャネルで指定される（前述）。中継局は、１ミリ秒毎にコントロール・チャネルの中のリソース・ブロックの割り当て情報、すなわちスケジューリング情報を見ることにより、自分宛てのリソース・ブロックがあるかどうかを判別する。
【００７６】
ダウンリンクにおいては、中継局は、例えばＤＦ方式（前述）により、基地局からの受信信号を増幅してから、移動局に対して送信を行なう。中継局が中継することで、基地局から移動局に対して信号を直接送信するよりも、ＳＮＲを高くすることが可能である。他方、アップリンクにおいては、中継局は、移動局からの信号を中継局が受信して、それを基地局に対して送信することによりＳＮＲを高く保つことができる。
【００７７】
また、本実施形態に係る通信システムでは、隣接セル間での同一チャネルの干渉の影響を低減するためにインターセル・インターフェアレンス・コーディネーション（前述）を適用している。
【００７８】
ここで、図３Ａ〜図３Ｄを参照しながら、インターセル・インターフェアレンス・コーディネーションについて改めて説明する。図示の例では、１セル周波数繰り返しと複数セル周波数繰り返し（図中は、３セル周波数繰り返し）を組み合わせたフラクショナル周波数繰り返しによって、インターセル・インターフェアレンス・コーディネーションを実現している。
【００７９】
図３Ａにおいて、６角形は１つのセル範囲を示している。各セルは、セル内部の白抜きされた中央領域と、セル端の網掛けを施した周辺領域に分けられる。中央領域に割り当てられる中央周波数は、隣接セルと競合するが（すなわち、周波数繰り返しが１）、中央領域内でしか信号が届かないような小さな送信電力に抑えることで、セル間の干渉を回避する。一方、隣接セルの周辺領域同士は異なる周波数が割り当てられる（すなわち、３セル周波数繰り返しをしている）。図３Ａ中では周波数帯の相違を網掛けの種類（右上がり斜線、右下がり斜線、格子斜線）で表している。図示のように隣接セル間で周波数割り振りの配分を切り替えることによって、効率的な周波数の割り当て運用を行なうことができる
【００８０】
図３Ｂ〜図３Ｄには、セル内の周波数割り当て及び送信電力を示している。各セルでは、システム周波数帯域を３つのサブキャリア・ブロックに分割し、周辺周波数にはセル間で周波数繰り返しに用いるサブキャリア・ブロックを割り当て、中央周波数には１セル周波数繰り返しのサブキャリア・ブロックを割り当てる。
【００８１】
例えば、図３Ａ中で右下がり斜線の網掛けが施された周辺領域を持つセル内では、サブキャリア・ブロック＃１が周辺周波数に、サブキャリア・ブロック＃２、＃３が中央周波数に割り当てられる（図３Ｂを参照のこと）。また、図３Ａ中で格子の網掛けが施された周辺領域を持つセル内では、サブキャリア・ブロック＃２が周辺周波数に、サブキャリア・ブロック＃１、＃３が中央周波数に割り当てられる（図３Ｃを参照のこと）。また、図３Ａ中で右上がり斜線の網掛けが施された周辺領域を持つセル内では、サブキャリア・ブロック＃３が周辺周波数に、サブキャリア・ブロック＃１、＃２が中央周波数に割り当てられる（図３Ｄを参照のこと）。また、各セル内では、１つの通信局がＯＦＤＭ信号の全サブキャリアを占有するのではなく、中央周波数のサブキャリアを中央領域にいる移動局又は中継局に割り当てるとともに、周辺周波数のサブキャリアを周辺領域にいる移動局又は中継局に割り当てて、複数の通信局でサブキャリアをシェアして多元接続（ＯＦＤＭＡ）を行なう。
【００８２】
図３Ａ中のいずれのセルにおいても、中央周波数の送信電力は、１セル周波数繰り返ししてもセル間干渉を生じないように、中央領域内でしか信号が届かないような小さな送信電力に抑えられている。また、周辺周波数の送信電力はセル中心の基地局からセル端まで電波が届く程度に大きいが、複数セル（図示の例では３セル）周波数繰り返しが用いられるので、セル間干渉は生じない。
【００８３】
図４には、インターセル・インターフェアレンス・コーディネーションを適用したセル内で中継局を介した基地局と移動局間の通信例を示している。但し、同図中、ダウンリンクを実線矢印で、アップリンクを点線矢印で、それぞれ示している。
【００８４】
図示のように、中継局並びに移動局は、それぞれ中央領域にいる場合と周辺領域にいる場合の両方が考えられる。同図中のケース１では、中央領域内の中継局が周辺領域にいる移動局を中継している。また、ケース２では、中継局とこれに属する移動局がともに周辺領域にいる。また、ケース３では、中継局とこれに属する移動局がともに中央領域にいる。
【００８５】
インターセル・インターフェアレンス・コーディネーションを採り入れたセルラーシステムに上述したリレー技術を導入すると、中継局から再送される信号が隣接セルを干渉することが懸念される。何故ならば、リレー技術は中継局の介在によりセル・エッジでのスループットを向上させるが、このことはセル・エッジ近傍での電力を増大させることに等しいからである。中継局は、基地局に比べセル周縁に近づいていることから、隣接セルの中央周波数に干渉を与える可能性が高くなる。図４に示す例では、ケース１、２のように、中央領域又は周辺領域にいる中継局が周辺領域にいる移動局を中継する場合に、隣接セルとの干渉の問題は顕在化する。また、逆に、隣接セルの中央周波数から干渉を受ける可能性も高くなる
【００８６】
図５には、図４中のケース１に適した中継方式の一例を示している。但し、同図中、ダウンリンクを実線矢印で、アップリンクを点線矢印で、それぞれ示している。図示の中継方式は、ダウンリンクとアップリンクを周波数方向に多重化し、ダウンリンク及びアップリンクの各々において、リレーリンクとアクセスリンクを周波数方向及び時間方向に分離するものである。周波数方向に多重化したアップリンク及びダウンリンクの各々において、リレーリンクには所定の中央周波数Ｆ１で且つ隣接セルに届かない送信電力を用いるとともに、アクセスリンクには隣接セルとは干渉を回避した周辺周波数Ｆ２を用いている。
【００８７】
ダウンリンク時に基地局は、時刻Ｔ１のタイムスロットで中央周波数Ｆ１のリソース・ブロックを使用して送信する（ダウンリンクのリレーリンク）。また、中継局は、このダウンリンクのリレーリンクでの信号を受信して、バッファーに蓄えた後に、その信号を時刻Ｔ２のタイムスロットで周辺周波数Ｆ２のリソース・ブロックを使用して送信する（ダウンリンクのアクセスリンク）。そして、移動局は、この時刻Ｔ２のタイムスロットで周辺周波数Ｆ２を使用したダウンリンクのアクセスリンクの信号を受信する。なお、ダウンリンクのダイレクトリンクは、中継局を経由せず、基地局から移動局へ直接通信するリンクであるが、図５中において、２つの四角にまたがる長い実線の矢印で示している。ダウンリンクのダイレクトリンクは、時刻Ｔ１で周波数Ｆ１のリソース・ブロックを使用し、続くＴ２のタイムスロットでは周波数Ｆ２のリソース・ブロックを使用する。
【００８８】
一方、アップリンク時には、移動局は、時刻Ｔ１のタイムスロットで周辺周波数Ｆ２のリソース・ブロックを利用して送信し（アップリンクのアクセスリンク）、これを中継局が受信する。そして、中継局は、このアップリンクのアクセスリンクでの信号を受信し、バッファリングした後に、時刻Ｔ２のタイムスロットで中央周波数Ｆ１のリソース・ブロックを使用して送信し（アップリンクのリレーリンク）、それを基地局が受信する。なお、アップリンクのダイレクトリンクは、中継局を経由せず、移動局から基地局へ直接通信するリンクであるが、図５中において、２つの四角にまたがる長い点線の矢印で示している。アップリンクのダイレクトリンクは、時刻Ｔ１で周波数Ｆ２のリソース・ブロックを使用し、続くＴ２のタイムスロットでは周波数Ｆ１のリソース・ブロックを使用する。
【００８９】
また、図６には、図４中のケース１に適した中継方式の他の例を示している。但し、同図中、ダウンリンクを実線矢印で、アップリンクを点線矢印で、それぞれ示している。図示の中継方式は、ダウンリンクとアップリンクを時間方向に分離し、且つ、リレーリンクとアクセスリンクを周波数方向に多重化するものである（ダウンリンク及びアップリンクを時間方向に分離するが、ダウンリンクおよびアップリンクの各々において、リレーリンクとアクセスリンクを周波数方向に多重化する）。ダウンリンクでは、リレーリンクには所定の中央周波数Ｆ１で且つ隣接セルに届かない送信電力を用いるとともに、アクセスリンクには隣接セルとは干渉を回避した周辺周波数Ｆ２を用いる。一方、アップリンクでは、リレーリンクには隣接セルとは干渉を回避した周辺周波数Ｆ２を用いるとともに、アクセスリンクには所定の中央周波数Ｆ１で且つ隣接セルに届かない送信電力を用いる。
【００９０】
ダウンリンクとして、基地局は、時刻Ｔ１のタイムスロットで中央周波数Ｆ１のリソース・ブロックを使用して送信する（ダウンリンクのリレーリンク）。また、中継局は、このダウンリンクのリレーリンクでの信号を受信しながら、その信号を同時刻Ｔ１のタイムスロットで周辺周波数Ｆ２のリソース・ブロックを使用して送信する（ダウンリンクのアクセスリンク）。そして、移動局は、この時刻Ｔ１のタイムスロットで周辺周波数Ｆ２を使用したダウンリンクのアクセスリンクの信号を受信する。
【００９１】
一方、アップリンクとして、移動局は、時刻Ｔ２のタイムスロットで周辺周波数Ｆ２のリソース・ブロックを利用して送信する（アップリンクのアクセスリンク）。そして、中継局は、このアップリンクのアクセスリンクでの信号を受信しながら、その信号を同時刻Ｔ２のタイムスロットで中央周波数Ｆ１のリソース・ブロックを使用して送信し（アップリンクのリレーリンク）、それを基地局が受信する。
【００９２】
図６に示す中継方式は、リレーリンクには中央周波数Ｆ１を用い、アクセスリンクには周辺周波数Ｆ２を用いる点で図４に類似するが、ダウンリンクとアップリンクの各々において、リレーリンクとアクセスリンクを周波数方向で多重化しているという点で相違し、中継に伴う遅延が少ないという利点がある。但し、この場合の中継局は、中央周波数Ｆ１で受信を行ないながら同時に周辺周波数Ｆ２で送信するなど、周波数軸方向に多重化した送受信動作を行なう（すなわち、同時刻に送受信動作を行なう）ための回路が必要になる。
【００９３】
また、図７には、図４中のケース２に適した中継方式の一例を示している。但し、同図中、ダウンリンクを実線矢印で、アップリンクを点線矢印で、それぞれ示している。図示の中継方式は、アップリンク及びダウンリンクともに所定の周辺周波数を用い、アップリンクとダウンリンクを時間方向に分離するとともに、アップリンク及びダウンリンクの各々においてリレーリンクとアクセスリンクを時間方向に分離するものである。
【００９４】
ダウンリンク時に基地局は、時刻Ｔ１のタイムスロットで周辺周波数Ｆ２のリソース・ブロックを使用して送信する（ダウンリンクのリレーリンク）。また、中継局は、このダウンリンクのリレーリンクでの信号を受信して、バッファーに蓄えた後に、その信号を時刻Ｔ２のタイムスロットで周辺周波数Ｆ２のリソース・ブロックを使用して送信する（ダウンリンクのアクセスリンク）。そして、移動局は、この時刻Ｔ２のタイムスロットで周辺周波数Ｆ２を使用したダウンリンクのアクセスリンクの信号を受信する。
【００９５】
一方、アップリンク時には、移動局は、時刻Ｔ３のタイムスロットで周辺周波数Ｆ２のリソース・ブロックを利用して送信し（アップリンクのアクセスリンク）、これを中継局が受信する。そして、中継局は、このアップリンクのアクセスリンクでの信号を受信し、バッファリングした後に、時刻Ｔ４のタイムスロットで周辺周波数Ｆ２のリソース・ブロックを使用して送信し（アップリンクのリレーリンク）、それを基地局が受信する。
【００９６】
続いて、隣接セルへの影響について考察してみる。
【００９７】
中継局は、基地局に比べセル周縁に近づいていることから、隣接セルの中央周波数に干渉を与える可能性が高くなる。また、逆に、隣接セルの中央周波数から干渉を受ける可能性も高くなる。繰言になるが、基地局が周辺周波数の信号を強電力で送信しても、セル・エッジでは十分減衰することから、隣接セルの中央周波数に対する干渉はわずかなものである。これに対し、中継局は、よりセル・エッジの近くで周辺周波数を送信するため、隣接セルの中央周波数を使用している移動局の受信に干渉を与える可能性がとりわけ高い。何故ならば、リレー技術は中継局の介在によりセル・エッジでのスループットを向上させるが、このことはセル・エッジ近傍での電力を増大させることに等しいからである。
【００９８】
他方、基地局は、周辺領域にいる移動局から周辺周波数を用いた信号を受信するが、隣接セルの中央周波数との間の干渉は少ない。何故ならば、隣接セルの基地局と自セルの基地局は十分に離間し、且つ、基地局は中央周波数での送信電力を小さく抑えているからである。周辺領域にいる中継局の受信も、同様に問題ないと考えられる。
【００９９】
以上をまとめると、セルラーシステムにリレー技術を導入すると、周辺領域にいる移動局は、隣接セルの中央周波数となる自セルの周辺周波数を用いているため、移動局の受信に問題が生じると考えられる。
【０１００】
本発明者は、かかる問題に関し、基地局と移動局間の通信において中継局が常に使用される訳ではない、という点に着目した。すなわち、セルの周辺（周辺領域）に位置する移動局の受信環境が劣悪になったときに、中継局を経由して信号が送受信される。したがって、移動局に到来する周辺周波数の信号には、中継局を経由したアクセスリンクと、基地局からのダイレクトリンクが存在する。そして、本明細書では、周辺領域にいて自セルの周辺周波数を用いる移動局が、隣接セルの中央周波数との干渉を回避する方法として、以下の２つの方法を提案する。
【０１０１】
（１）第１の方法
中継局に割り当てる周波数帯域を制限する。すなわち、セル内での周辺周波数の割り当ての中で、中継局経由で用いられる周波数の位置をシステムであらかじめ決めておく。そして、隣接セル側では、その中継局から影響を受け易い周波数の位置を避けて、中央周波数の割り当てを行なうようにする。
【０１０２】
（２）第２の方法
中継局の位置に応じて許可する周波数帯域を変更する。中継局の位置によって、隣接セル側の中央周波数にどのように影響を与えるかが変わる。したがって、基地局は、周辺周波数のうち中継局に許可する領域を、中継局の位置に応じて設定することにより、隣接セル側の中央周波数のうち干渉を与える可能性が高いと設定される箇所を少なくすることができる。
【０１０３】
まず、第１の方法を実現するためのシステム動作並びシステム構成について詳細に説明する。
【０１０４】
図８Ａには、フラクショナル周波数繰り返しを行なうセル１とセル２が隣接している様子を示している。また、図８Ｂには、セル１並びにセル２の周波数割り当て例を示している。
【０１０５】
セル１側では、中継局に割り当てる周波数帯域を制限する。具体的には、サブキャリア・ブロック＃２が周辺周波数として使用されるが、図８Ｂ上段に示すように、このブロック＃２をさらにリレーリンクすなわち中継局用に使用するサブキャリア・ブロック＃２−１と、ダイレクトリンク（すなわち、周辺領域の移動局用）に使用するサブキャリア・ブロック＃２−２に分割して、中継局用に使用する周波数帯域をあらかじめ決定しておく。決定後は、サブキャリア・ブロック＃２−２内のリソースを中継局ＲＳ１に割り当てるのが禁止され、基地局ＢＳ１は、周辺領域にいる中継局ＲＳ１への割り当てをサブキャリア・ブロック＃２−１内に制限する。このサブキャリア・ブロック＃２−１は、セル１が隣接するセル２に干渉を与える与干渉帯域であり、セル２にとっては使用が制限される制限帯域となる。そして、セル１の基地局ＢＳ１は、中継局用に使用すると決定した周波数帯域（すなわち、サブキャリア・ブロック＃２−１）の情報を、隣接するセル２の基地局ＢＳ２に、例えばバックホール（Ｂａｃｋｈａｕｌ）を通じて伝達する。
【０１０６】
図９には、周辺周波数に割り当てられたリソース・ブロックの一部がリレーリンク専用にあらかじめ割り当てられている様子を示している。周辺周波数のうち一定の決まったリソース・ブロックがリレーリンクすなわち中継局用に割り当てられる。１リソース・ブロックは周波数方向に１２サブキャリア幅で、１ミリ秒の時間長を持つ（前述）。同図において、周辺周波数の帯域のうち、ドット状の網掛けが施されているリソース・ブロックが中継局用に割り当てられ、格子斜線の網掛けが施されているリソース・ブロックは、中継局への割り当てが禁止されている。
【０１０７】
一方、セル２側では、サブキャリア・ブロック＃１、＃２を自セルの中央周波数として使用するが、このうち隣接するセル＃１側でリレーリンクすなわち中継局が使用する可能性がある領域がサブキャリア・ブロック＃２−１であること、言い換えれば、サブキャリア・ブロック＃２−１では移動局の受信に問題が生じ易いことが、セル１の基地局ＢＳ１からの通知などにより事前に分かっている。
【０１０８】
そこで、セル２の基地局ＢＳ２に搭載されているスケジューラーは、自セル内で中央周波数の割り当てを行なう際に、図８Ｂ下段に示すように、サブキャリア・ブロック＃２−１を避け、あるいは、サブキャリア・ブロック＃２−１の優先度を下げてスケジューリングを行なうようにする。これによって、セル２内では、移動局の受信に問題を生じ難くすることができる。
【０１０９】
図１０には、中継局に割り当てる周波数帯域を制限することによって隣接セルの中央周波数への干渉を調整する、第１の方法を実現するためのシステム動作の手順をフローチャートの形式で示している。
【０１１０】
まず、セル１の基地局は、自セルの周辺周波数の中で、リレーリンクすなわち中継局用に使用する領域（制限帯域）を決定する（ステップＳ１）。
【０１１１】
そして、セル１の基地局は、自セル内でリレーリンクすなわち中継局用に使用する領域（制限帯域）に関する情報を、例えばバックホールを経由して、隣接するセル２の基地局に通知する（ステップＳ２）。
【０１１２】
これに対し、セル２の基地局は、通知された領域（制限帯域）は移動局の受信においてＳＮＲが低くなることを認識して、当該領域を避け、若しくは優先順位を下げて、自セル内のスケジューリングを行なう（ステップＳ３）。
【０１１３】
なお、中継局に対する周波数割り当てを時間とともに周波数ホッピングさせるようにしてもよい。周波数ホッピングさせることで、隣接セルの中心周波数に与える干渉の具合を平均化することができる。
【０１１４】
上述した例では、セル１側の基地局が主導的に周辺周波数のうちリレーリンクすなわち中継局に割り当てる周波数帯域を制限するものである。これに対し、隣接するセル２側で自セル内の中央周波数のうち干渉を受けたくない帯域を通知し、セル１側の基地局は通知された帯域がリレーリンクすなわち中継局用に割り当てられないようにスケジューリングを行なうという変形例も考えられる。図１１には、後者により第１の方法を実現するためのシステム動作の手順をフローチャートの形式で示している。
【０１１５】
まず、セル２の基地局は、自セルの中央周波数の中で、干渉を受けたくない領域（不干渉帯域）を決定すると（ステップＳ１１）、当該領域に関する情報を、例えばバックホールを経由して、隣接するセル１の基地局に通知する（ステップＳ１２）。
【０１１６】
これに対し、セル１の基地局は、通知された領域（不干渉帯域）をリレーリンクすなわち中継局用に割り当てることを禁止して、自セル内のスケジューリングを行なう（ステップＳ１３）。
【０１１７】
図１２には、本実施形態に係るセルラーシステムにおいて動作する基地局が上記第１の方法を実現するための機能的構成を模式的に示している。図示の基地局１２００は、アンテナ部１２０１と、送受信信号のアナログ処理を行なうアナログ部１２０２と、アナログ受信信号のディジタル変換並びにディジタル送信信号のアナログ変換を行なうＡＤ／ＤＡ処理部１２０３と、送受信信号のディジタル処理を行なうディジタル部１２０４と、データ送信要求並びに受信データ処理などを行なう上位層プロトコル処理部１２０５で構成される。
【０１１８】
基地局１２００は、例えば、アンテナ部１２０１として複数のアンテナ素子を備え、ＭＵ−ＭＩＭＯ若しくはＳＤＭＡのように、高スループット通信の実現のために、空間軸上の無線リソースを複数のユーザーで共有する空間分割多元接続方式を採用するが、本発明の要旨には直接関連しないので、本明細書ではこの点については説明を省略する。
【０１１９】
また、上位層プロトコル処理部１２０５は、パーソナル・コンピューターなどの一般的な計算機システムとして構成することもできるが、本発明の要旨には直接関連しないので、本明細書ではこの点については説明を省略する。
【０１２０】
ディジタル部１２０４は、受信信号を復調並びに復号処理する復調・復号部１２１１と、送信信号を符号化並びに変調処理する符号化・変調部１２１２の他に、自セル又は隣接セルの中継局の周波数割り当てに関する決定を行なう中継局周波数割当決定部１２１３と、自セル内の無線リソースの管理すなわちスケジューリングを行なうスケジューラー１２１４と、光ファイバーなどで構成されるバックホールを通じて他のセルの基地局と通信を行なうバックホール通信部１２１５といった機能モジュールを備えている。機能モジュール１２１３〜１２１４は、専用のハードウェアとして構成することができるが、プロセッサーが所定のソフトウェア・プログラムを実行するという形態でも実現することができる。
【０１２１】
中継局周波数割当決定部１２１３は、自セル内の中継局が使用する周波数帯域（制限帯域）を決定したり、あるいは、自セルの中央周波数のうち干渉を受けたくない周波数帯域（不干渉帯域）を決定したりする。制限帯域や不干渉帯域の決定方法は任意である。決定内容に関する情報は、バックホール通信部１２１５を通じて、例えば隣接するセルの基地局宛てに送信される。また、中継局周波数割当決定部１２１３は、隣接セルの基地局から、当該隣接セルの中央周波数のうち干渉を受けたくない周波数帯域（不干渉帯域）がバックホールを通じて通知されると、当該帯域を除外して、自局の中継局が使用する周波数帯域を決定する。
【０１２２】
なお、中継局周波数割当決定部１２１３は、中継局に対する周波数割り当てを時間とともに周波数ホッピングさせるようにしてもよい。周波数ホッピングさせることで、隣接セルの中心周波数に与える干渉の具合を平均化することができる。
【０１２３】
スケジューラー１２１４は、中継局周波数割当決定部１２１３が決定した内容に則り、自セル内での無線リソースの割り当てすなわちスケジューリングを行なう。スケジューリングの最小単位はリソース・ブロックである。
【０１２４】
また、図１３には、本実施形態に係るセルラーシステムにおいて動作する中継局の機能的構成を模式的に示している。図示の中継局１３００は、アンテナ部１３０１と、送受信信号のアナログ処理を行なうアナログ部１３０２と、アナログ受信信号のディジタル変換並びにディジタル送信信号のアナログ変換を行なうＡＤ／ＤＡ処理部１３０３と、送受信信号のディジタル処理を行なうディジタル部１３０４で構成される。
【０１２５】
中継局１３００は、例えば、アンテナ部１３０１として複数のアンテナ素子を備え、空間分割多元接続方式を採用してもよいが（同上）、本発明の要旨はこれに限定されるものではない。
【０１２６】
ディジタル部１３０４は、送受信部の動作を制御する送受信制御部１３１５と、基地局１２００からコントロール・チャネルを通じて送られてきたスケジューリング情報を記憶するスケジューリング情報保持メモリー１３１６と、ディジタル部１３０４内の動作を統括的にコントロールするＣＰＵ（Ｃｅｎｔｒａｌ  Ｐｒｏｃｅｓｓｉｎｇ  Ｕｎｉｔ）１３１７で構成される。また、送受信部は、ディジタル受信信号から同期を獲得する同期部１３１１と、獲得した同期に従って受信信号を復調並びに復号処理する復調・復号部１３１２と、送信データを一時的に保持するバッファー１３１４と、送信信号を符号化及び変調処理する符号化・変調部１３１３で構成される。
【０１２７】
送受信制御部１３１５は、スケジューリング情報保持メモリー１３１６に記憶されているスケジューリング情報に従って、指定されたリソース・ブロックを用いて、ダウンリンクのリレーリンクでの受信処理並びにアクセスリンクでの送信処理、アップリンクのアクセスリンクでの受信処理並びリレーリンクでの送信処理を制御する。
【０１２８】
バッファー１３１４には、ダウンリンクのリレーリンクで受信した移動局１４００（後述）宛てのデータや、アップリンクのアクセスリンクで受信した基地局１２００宛てのデータが一時的に蓄積され、ダウンリンクのアクセスリンクとして移動局１４００宛てに、アップリンクのリレーリンクとして基地局１２００宛に、それぞれ送信されることになる。中継局１３００は、リレーする信号を復調並びに復号してバッファー１３１４に一時保持し、再度符号化並びに変調して転送する、すなわち、ＤＦ方式（前述）を適用しているが、勿論、ＡＦ方式を適用することもできる。
【０１２９】
なお、図１０又は図１１に示した処理手順、図１２に示した基地局１２００の構成例並びに図１３に示した中継局１３００の構成例は、いずれも基地局１２００が自セル内の中継局１３００に割り当てる周波数を決定することを前提としたものである。その変形例として、中継局１３００に中継局周波数決定部（基地局１４００の中継局周波数決定部１２１３と同様の機能）を備える構成として、基地局ではなく中継局が自分の使用する周波数を決定する方法も考えられる。この場合、中継局１３００は、自らが使用する周波数の決定に必要となる情報をセル内の基地局から通知してもらうか、又は、中継局１３００がその情報を自ら収集することになる。また、アクセスリンクとリレーリンクの違いや、アップリンクとダウンリンクの違いを考慮して、中継方式を決定する処理を異なる２以上の装置（例えば、基地局と中継局）に分散することも可能である。
【０１３０】
また、図１４には、本実施形態に係るセルラーシステムにおいて動作する移動局の機能的構成を模式的に示している。図示の移動局１４００は、アンテナ部１４０１と、送受信信号のアナログ処理を行なうアナログ部１４０２と、アナログ受信信号のディジタル変換並びにディジタル送信信号のアナログ変換を行なうＡＤ／ＤＡ処理部１４０３と、送受信信号のディジタル処理を行なうディジタル部１４０４と、データ送信要求並びに受信データ処理などを行なう上位層プロトコル処理部１４０５で構成される。
【０１３１】
移動局１４００は、例えば、アンテナ部１４０１として複数のアンテナ素子を備え、空間分割多元接続方式を採用してもよいが（同上）、本発明の要旨はこれに限定されるものではない。また、上位層プロトコル処理部１４０５は、パーソナル・コンピューターなどの一般的な計算機システムとして構成することもできる（同上）。
【０１３２】
ディジタル部１４０４は、ディジタル受信信号から同期を獲得する同期部１４１１と、獲得した同期に従って受信信号を復調並びに復号処理する復調・復号部１４１２と、送信信号を符号化及び変調処理する符号化・変調部１４１３と、基地局１２００からコントロール・チャネルを通じて送られてきたスケジューリング情報を記憶するスケジューリング情報保持メモリー１４１４と、ディジタル部１４０４内の動作を統括的にコントロールするＣＰＵ１４１５で構成される。
【０１３３】
スケジューリング情報保持メモリー１４１４には、スケジューリング情報として、自局に割り当てられたリソース・ブロックが記憶されている。同期部１４１１並びに復調・復号部１４１２では、ダウンリンクのアクセスリンク用に割り当てられたリソース・ブロックを用いて受信処理を行なう。また、符号化・変調部１４１３は、アップリンクのアクセスリンク用に割り当てられたリソース・ブロックを用いて送信動作を行なう。
【０１３４】
図１２〜図１４にそれぞれ示した基地局１２００、中継局１３００、移動局１４００を配置して構成される隣接セル間では、基地局１２００のセル内に配置することで、中継局から送信される周辺周波数の信号による隣接セルの中央周波数への干渉を調整することが可能になり、周波数利用効率の向上を実現することができ、延いては、ユーザーのスループット向上に寄与するという点を十分理解されたい。
【０１３５】
続いて、上記の第２の方法を実現するためのシステム動作並びシステム構成について詳細に説明する。
【０１３６】
図１５Ａには、フラクショナル周波数繰り返しを行なう３つのセル１〜３が隣接している様子を示している。同図において、６角形は１つのセル範囲を示している。各セル１〜３は、セル内部の白抜きされた中央領域と、セル端の網掛けを施した周辺領域に分けられる。中央領域に割り当てられる中央周波数は、隣接セルと競合するが（すなわち、周波数繰り返しが１）、中央領域内でしか信号が届かないような小さな送信電力に抑えることで、セル間の干渉を回避する。一方、隣接セルの周辺領域同士は異なる周波数が割り当てられる。図１５Ａ中では周波数帯の相違を網掛けの種類（格子線、縦縞線、横縞線）で表している。
【０１３７】
また、図１５Ｂ〜図１５Ｄには、各セル１〜３の周波数割り当て例を示している。各セル１〜３では、システム周波数帯域を３ブロックに分割し、周辺周波数にはセル間で周波数繰り返しに用いるサブキャリア・ブロックを割り当て、中央周波数には１セル周波数繰り返しのサブキャリア・ブロックを割り当てる。
【０１３８】
格子線の網掛けが施された周辺領域を持つセル１内では、サブキャリア・ブロック＃２が周辺周波数に、サブキャリア・ブロック＃１、＃３が中央周波数に割り当てられる（図１５Ｂを参照のこと）。また、縦縞線の網掛けが施された周辺領域を持つセル２内では、サブキャリア・ブロック＃１が周辺周波数に、サブキャリア・ブロック＃２、＃３が中央周波数に割り当てられる（図１５Ｃを参照のこと）。また、横縞線の網掛けが施された周辺領域を持つセル３内では、サブキャリア・ブロック＃３が周辺周波数に、サブキャリア・ブロック＃１、＃２が中央周波数に割り当てられる（図１５Ｄを参照のこと）。１つの通信局がＯＦＤＭ信号の全サブキャリアを占有するのではなく、中央周波数のサブキャリアを中央領域にいる移動局又は中継局に割り当てるとともに、周辺周波数のサブキャリアを周辺領域にいる移動局又は中継局に割り当てて、複数の通信局でサブキャリアをシェアして多元接続（ＯＦＤＭＡ）を行なう。
【０１３９】
ここで、図１５Ａに示すように、セル１には中継局１（ＲＳ１）と中継局２（ＲＳ２）が設置されている。中継局１は隣接セル３に近く、中継局１からは、セル３の中央周波数を使用している端末に多くの干渉を与える。また、中継局２は隣接セル２に近いので、中継局２からは、セル２の中心周波数を使用している端末に多くの干渉を与える。そこで、本実施形態では、設置した位置に応じて、中継局１並びに中継局２に許可する周波数を設定して、隣接するセル３、セル２の各々の中央周波数に与える干渉を減らすようにしている。
【０１４０】
図１６には、セル１における中継局１、中継局２への周波数割り当て例を示している。セル１の基地局（ＢＳ１）は、自セルの周辺周波数のうち、隣接するセル２並びにセル３の各々の中央周波数に対して干渉成分となる位置を事前に把握している。したがって、セル１の基地局は、セル２並びにセル３の各々の中央周波数に対して干渉成分となる位置を避けて、中継局１及び中継局２のスケジューリングを行なうことにより、ユーザー・チャネルの品質を高く保つことができる。図示の例では、右上がり斜線で網掛けを施したリソース・ブロックは、セル３に対する干渉成分が低く、セル３寄りに設置された中継局１に割り当てられている。また、右下がり斜線で網掛けを施したリソース・ブロックは、セル２に対する干渉成分が低く、セル２寄りに設置された中継局２に割り当てられている。
【０１４１】
また、セル１の基地局は、自セルの周辺周波数の中から中継局１に割り当てた帯域に関する情報を、隣接セルのうち中継局３から最も近いセル３に、例えばバックホールを通じて通知する。同様に、中継局２に割り当てた帯域に関する情報を、中継局２から最も近いセル２にバックホールを通じて通知する。
【０１４２】
そして、セル３の基地局（ＢＳ３）は、セル１の基地局から通知を受けた、自セルに近接する中継局１が使用する周波数帯域（すなわち、干渉成分）を避けながら、自セル内でのリソース・ブロックのスケジューリングを実施することによって、セル３内で移動局の受信に問題を生じ難くすることができる。同様に、セル２の基地局（ＢＳ２）も、自セルに近接する中継局２による干渉成分を避けながら、自セル内でのリソース・ブロックのスケジューリングを実施することによって、セル２内で移動局の受信に問題を生じ難くすることができる。
【０１４３】
第２の方法によれば、上記の第１の方法よりも、中継局の位置に対応して、周波数を割り当てることにより、周辺セルの中心周波数で干渉が大きいと認識する際に無駄がなくなる。
【０１４４】
なお、ここまでは、１つのシステム周波数（ＬＴＥでは２０ＭＨｚのバンド幅）を３つのサブキャリア・ブロックに分割して、各サブキャリア・ブロックを中央周波数と周辺周波数に割り当てると説明してきた。これに対し、バンドを複数束ねて通信を行なう方法も考えられる。例えば、２０ＭＨｚのバンド幅のシステム周波数を５つ束ねて、２０ＭＨｚ×５＝１００ＭＨｚとして使用するキャリア・アグリゲーションを用いて通信を行なう場合には、インターセル・インターフェアレンス・コーディネーションにおける中央周波数と周辺周波数への周波数割り当てを、２０ＭＨｚのシステム周波数単位で行なう可能性がある。
【０１４５】
図１７には、中継局の位置に応じて許可する周波数帯域を変更することによって隣接セルの中央周波数への干渉を調整して、第２の方法を実現するためのシステム動作の手順をフローチャートの形式で示している。
【０１４６】
まず、セル１の基地局は、自セル内に設置した中継局の位置を把握する（ステップＳ２１）。
【０１４７】
ここで、中継局の位置情報は、例えば基地局からの通信距離に基づいて判断することができる。通信局間の通信距離は、受信信号強度（ＲＳＳＩ：Ｒｅｃｅｉｖｉｎｇ  Ｓｉｇｎａｌ  Ｓｔｒｅｎｇｔｈ  Ｉｎｄｉｃａｔｏｒ）から測定することができる。あるいは、中継局にＧＰＳ（Ｇｌｏｂａｌ  Ｐｏｓｉｔｉｏｎｉｎｇ  Ｓｙｓｔｅｍ）を搭載して、測定した位置情報を中継局から基地局へ通知する方法が考えられる。また、中継局は移動するものではないので、セル内に中継局を設置（建設）したときに、その位置情報を手動でネットワーク側のサーバーに登録するようにしてもよい。いずれの方法にせよ、基地局は、各中継局の位置を把握すると、それぞれどの隣接セルに近いかを判断する。但し、本発明の要旨は特定の測距方法に限定されるものではない。また、中継局の位置は、どの隣接セルに近いのかを把握できる程度の粒度で把握することができれば十分である。
【０１４８】
次いで、セル１の基地局は、中継局に対し、自セルの周辺周波数のうち使用する領域（与干渉帯域）を決定する（ステップＳ２２）。
【０１４９】
そして、セル１の基地局は、ステップＳ２１で把握した、中継局から近い（すなわち、干渉を与え易い）隣接セルの基地局に対し、当該中継局に割り当てた領域（与干渉帯域）に関する情報を、例えばバックホールを経由して通知する（ステップＳ２３）。
【０１５０】
これに対し、隣接セルの基地局は、セル１の基地局から通知された領域（与干渉帯域）はＳＩＮＲ（Ｓｉｇｎａｌ  ｔｏ  Ｉｎｔｅｒｆｅｒｅｎｃｅ  ｐｌｕｓ  Ｎｏｉｓｅ  Ｒａｔｉｏ）が低いことを認識することができるので、自セルの中央周波数のうち当該領域を避けながら、リソース・ブロックのスケジューリングを実施する（ステップＳ２４）。
【０１５１】
図１８には、本実施形態に係るセルラーシステムにおいて動作する基地局が図１７に示した処理手順に従って第２の方法を実現するための機能的構成を模式的に示している。図示の基地局１８００は、アンテナ部１８０１と、送受信信号のアナログ処理を行なうアナログ部１８０２と、アナログ受信信号のディジタル変換並びにディジタル送信信号のアナログ変換を行なうＡＤ／ＤＡ処理部１８０３と、送受信信号のディジタル処理を行なうディジタル部１８０４と、データ送信要求並びに受信データ処理などを行なう上位層プロトコル処理部１８０５で構成される。
【０１５２】
基地局１８００は、例えば、アンテナ部１８０１として複数のアンテナ素子を備え、空間分割多元接続方式を採用してもよいが（同上）、本発明の要旨はこれに限定されるものではない。また、上位層プロトコル処理部１８０５は、パーソナル・コンピューターなどの一般的な計算機システムとして構成することもできる（同上）。
【０１５３】
ディジタル部１８０４は、受信信号を復調並びに復号処理する復調・復号部１８１１と、送信信号を符号化並びに変調処理する符号化・変調部１８１２の他に、位置情報保持メモリー１８１３と、自セル内の中継局の周波数割り当てに関する決定を行なう中継局周波数割当決定部１８１４と、自セル内の無線リソースの管理すなわちスケジューリングを行なうスケジューラー１８１５、光ファイバーなどで構成されるバックホールを通じて他のセルの基地局と通信を行なうバックホール通信部１８１６といった機能モジュールを備えている。機能モジュール１８１３〜１８１５は、専用のハードウェアとして構成することができるが、プロセッサーが所定のソフトウェア・プログラムを実行するという形態でも実現することができる。
【０１５４】
位置情報保持メモリー１８１３には、自セルに属する各中継局の位置情報、並びに隣接セルの位置情報が記憶される。中継局の位置情報は、例えば当該基地局１８００からの通信距離に基づいて判断することができる。通信局間の通信距離は、受信信号強度から測定することができる。また、隣接セルの位置情報は、隣接セルの基地局からバックホール経由で通知を受けるようにしてもよい。
【０１５５】
中継局周波数割当決定部１８１４は、位置情報保持メモリー１８１３に記憶されている中継局及び隣接セルの位置情報に基づいて、中継局から近い（すなわち、干渉を与え易い）隣接セルを特定又は推定すると、その隣接セル側の中央周波数のうち干渉を与える可能性が高い領域を避けながら、自セルの周辺周波数の中から中継局が使用する領域（与干渉帯域）を決定する。そして、決定された領域（与干渉帯域）に関する情報は、バックホール通信部１２１５を通じて、隣接セルの基地局宛てに送信される。
【０１５６】
スケジューラー１８１５は、中継局周波数割当決定部１２１３が中継局に割り当てた領域に則り、自セル内での無線リソースの割り当てすなわちスケジューリングを行なう。また、バックホールを通じて隣接セルの基地局から与干渉帯域が通知されると、当該隣接セルの予感招待域を避けながら、自セルの中央周波数の割り当てを行なう。スケジューリングの最小単位はリソース・ブロックである。
【０１５７】
他方、中継局と移動局の機能的構成は、図１３、図１４にそれぞれ示したものと同様でよいので、ここでは説明を省略する。
【０１５８】
図１８、図１３、図１４にそれぞれ示した基地局１２００（又は１８００）、中継局１３００、移動局１４００を配置して構成される隣接セル間では、中継局の位置に応じて許可する周波数帯域を設定することによって、中継局から送信される周辺周波数の信号による隣接セルの中央周波数への干渉を調整することが可能になり、延いては、ユーザーのスループット向上に寄与するという点を十分理解されたい。
【０１５９】
図１５Ａに示した例は、フラクショナル周波数繰り返しを行なう３つのセル１〜３が隣接した通信環境を想定したものである。すなわち、第２の方法として、セル１において、隣接するセル２並びにセル３へ与える干渉を考慮しながらスケジューリングを行なう場合について考察してきた。
【０１６０】
しかしながら、上記の説明では、セル１が例えば隣接するセル２に近い中継局２に周辺周波数を割り当てる際、セル２に隣接する他のセル（図１５Ａには図示しない）においてどのような周辺周波数の割り当てを行なうのか、一切考慮していない。セル１が例えば隣接するセル３に近い中継局１に周辺周波数を割り当てる場合も同様である。
【０１６１】
図１６を参照しながら説明したように、セル２では、隣接するセル１から通知された与干渉帯域を避けながら、自セルの中央周波数の割り当てを行なう。現実のセルラーシステムでは、セル２はセル・エッジ全周にわたって隣接セルと接する場合がほとんどである。セル２の基地局は、すべての隣接セルからの与干渉帯域を避けるようにして自セルの中央周波数の割り当てを行なうが、隣接セル毎に与干渉帯域がまちまちであると、避けなければならない周波数帯域の合計幅が大きくなってしまい、周波数利用効率が低下してしまう。
【０１６２】
したがって、同じセルに隣接するセル同士で互いに協調しながら中継局に対する周辺周波数の割り当てを行なって、隣接セルに対する与干渉帯域が余計に拡大しないよう、ことが望ましい。
【０１６３】
以下では、図１９を参照しながら、同じセルに隣接する複数のセル同士で協調して無線リソースのスケジューリングを行なうことで、周波数利用効率よく、隣接する同一セルの中央周波数への干渉を調整する方法について考察する。
【０１６４】
図１９において、着目するセルは、中央に配置された中央セルとする。この中央セルは、６角形からなるセル・エッジの各辺が、６つのセル１〜６とそれぞれ隣接している。また、周辺周波数には３セル周波数繰り返しが適用されており、同図では周波数の相違を網掛けにより表している。中央セルの周辺領域には格子線の網掛けが施され、これに対し、隣接セル１、３、５の周辺領域には横縞線の網掛けが、隣接セル２、４、６の周辺領域には縦縞線の網掛けが施され、セル・エッジにおける干渉が回避されている。
【０１６５】
中央セルの基地局は、隣接するすべてのセル１〜６から通知された与干渉帯域を避けながら、自セルの中央周波数の割り当てを行なう必要がある。ここで、同じ周辺周波数を持つ複数の隣接セルにおいて、中央セルに近い中継局に対して同一の周波数帯域（与干渉帯域）を割り当てるようにすれば、中央セル側では、その与干渉帯域だけを避けて中央周波数の割り当てを行なえばよいことになる。すなわち、中央セルの中央周波数に干渉を与える（制限帯域の）帯域幅を最小限に抑えることができ、周波数利用が効率的となる。
【０１６６】
６つのセル１〜６は、周辺周波数の相違から、２組に分けることができる。すなわち、周辺領域に対し縦縞線の網掛けが施された（すなわち、共通する帯域が周辺周波数に割り当てられた）セルが３つと、周辺領域に対し横縞線の網掛けが施された（すなわち、共通する帯域が周辺周波数に割り当てられた）セルが３つである。例えば、中央セルで図１５Ｂに示した周波数割り当てを行なう場合、周辺領域に横縞線の網掛けが施された隣接セル１、３、５からなる第１のグループでは図１５Ｃに示した周波数割り当てを行ない、周辺領域に縦縞線の網掛けが施された隣接セル２、４、６からなる第２のグループでは図１５Ｄに示した周波数割り当てを行なう（あるいは、第１のグループで図１５Ｄに示した周波数割り当てを行ない、第２のグループで図１５Ｃに示した周波数割り当てを行なうのでもよい）。ここで、隣接セル１、３、５からなる第１のグループでは、中央セル（言い換えれば、第１のグループで共通する隣接セル）の中央周波数で且つ当該グループの周辺周波数となる周波数領域の中から、中央セルの近くに配置された中継局に割り当てる共通の周波数領域を決定し、これが中央セルにとって第１の与干渉帯域となる。同様に、隣接セル２、４、６のからなる第２のグループでは、中央セル（言い換えれば、第２のグループで共通する隣接セル）の中央周波数で且つ当該グループの周辺周波数となる周波数領域の中から、中央セルの近くに配置された中継局に割り当てる共通の周波数領域を決定し、これが中央セルにとって第２の与干渉帯域となる。
【０１６７】
図２０には、図１９に示したセル環境において、同じ周辺周波数を持つ複数の隣接セルのグループ毎に、中央セルに近い中継局に対して同一の与干渉帯域を割り当てたときの、中央セルの中央周波数の割り当て例を示している。図示のように、中央セルの基地局は、第１の与干渉帯域と第２の与干渉帯域だけを避けて、中央周波数の割り当てを行なえばよい。同図から、中央セルの中央周波数に干渉を与える帯域幅を最小限にすることが可能となり、周波数利用効率がよくなることを理解できよう。
【０１６８】
図２１には、同じセルに隣接するセル同士で互いに協調しながら、中継局の位置に応じて周波数帯域の割り当てを行なうことによって隣接セルの中央周波数への干渉を調整して、第２の方法を実現するためのシステム動作の手順をフローチャートの形式で示している。
【０１６９】
まず、中央セルに隣接する各セル１〜６の基地局は、自セルの周辺周波数に割り当てられた周波数が３セル周波数繰り返しの３つの周波数のうちのいずれであるかをそれぞれ把握する（ステップＳ３１）。
【０１７０】
次いで、各セル１〜６の基地局は、中央セルに近い中継局に対して、中央セルの中央周波数で且つ自セルの周辺周波数となる周波数領域の中から周波数を割り当てる（ステップＳ３２）。
【０１７１】
上述したように、隣接セル１〜６は、周辺周波数の相違に基づいて２つのグループに分類される。隣接セル１、３、５からなる第１のグループでは、各基地局が、中央セルの中央周波数で且つ当該グループの周辺周波数となる周波数領域の中から、中央セルに近い中継局に割り当てる共通の周波数領域を決定する。また、隣接セル２、４、６からなる第２のグループでは、各基地局が、中央セルの中央周波数で且つ当該グループの周辺周波数となる周波数領域の中から、中央セルに近い中継局に割り当てる共通の周波数領域を決定する。この結果、中央セルの中央周波数には、２つの与干渉帯域が生じる。
【０１７２】
そして、中央セルの基地局は、隣接セルからの上記２つの与干渉帯域に対応して、当該領域はＳＩＮＲが低いことを認識して、自セルの中央周波数のうち当該領域を避けながら、リソース・ブロックのスケジューリングを実施する（ステップＳ３３）。
【０１７３】
図２２には、本実施形態に係るセルラーシステムにおいて動作する基地局が図２１に示した処理手順に従って第２の方法を実現するための機能的構成を模式的に示している。図示の基地局２２００は、アンテナ部２２０１と、送受信信号のアナログ処理を行なうアナログ部２２０２と、アナログ受信信号のディジタル変換並びにディジタル送信信号のアナログ変換を行なうＡＤ／ＤＡ処理部２２０３と、送受信信号のディジタル処理を行なうディジタル部２２０４と、データ送信要求並びに受信データ処理などを行なう上位層プロトコル処理部２２０５で構成される。
【０１７４】
基地局２２００は、例えば、アンテナ部２２０１として複数のアンテナ素子を備え、空間分割多元接続方式を採用してもよいが（同上）、本発明の要旨はこれに限定されるものではない。また、上位層プロトコル処理部２２０５は、パーソナル・コンピューターなどの一般的な計算機システムとして構成することもできる（同上）。
【０１７５】
ディジタル部２２０４は、受信信号を復調並びに復号処理する復調・復号部２２１１と、送信信号を符号化並びに変調処理する符号化・変調部２２１２の他に、位置情報保持メモリー２２１３と、周波数情報保持メモリー２２１４と、自セル内の中継局の周波数割り当てに関する決定を行なう中継局周波数割当決定部２２１５と、自セル内の無線リソースの管理すなわちスケジューリングを行なうスケジューラー２２１６、光ファイバーなどで構成されるバックホールを通じて他のセルの基地局と通信を行なうバックホール通信部２２１７といった機能モジュールを備えている。機能モジュール２２１３〜２２１６は、専用のハードウェアとして構成することができるが、プロセッサーが所定のソフトウェア・プログラムを実行するという形態でも実現することができる。
【０１７６】
位置情報保持メモリー２２１３には、自セルに属する各中継局の位置情報、並びに隣接セルの位置情報が記憶される。中継局の位置情報は、例えば当該基地局２２００からの通信距離に基づいて判断することができる。通信局間の通信距離は、受信信号強度から測定することができる。また、隣接セルの位置情報は、隣接セルの基地局からバックホール経由で通知を受けるようにしてもよい。
【０１７７】
周波数情報保持メモリー２２１４には、自セルで使用する周辺周波数、並びに、自セルに隣接する各セルの周辺周波数が、３周波数繰り返しの３つの周波数のうちいずれであるかが記憶されている。
【０１７８】
中継局周波数割当決定部２２１５は、自セル内に設置されている中継局に割り当てる周波数を決定する。中継局周波数割当決定部２２１５は、まず、位置情報保持メモリー２２１３に記憶されている周辺周波数の情報を参照して、中継局及び隣接セルの位置情報に基づいて、中継局から近い（すなわち、干渉を与え易い）隣接セルを特定又は推定する。続いて、周波数情報保持メモリー２２１４から、自セルの周辺周波数並びにその隣接セルの中央周波数を取り出すと、隣接セルの中央周波数で且つ自セルの周辺周波数となる周波数領域の中から中継局に割り当てる周波数を決定する（図１９中の隣接セル１〜６の処理に相当）。なお、中継局の位置情報を取得する方法は、既に述べた通りである。
【０１７９】
スケジューラー２２１６は、中継局周波数割当決定部１２１３が中継局に割り当てた領域に則り、自セル内での無線リソースの割り当てすなわちスケジューリングを行なう。また、スケジューラー２２１６は、周波数情報保持メモリー２２１４から、自セルの制限帯域並びに隣接セルからの与干渉帯域を取り出すと、かかる帯域を避けながら、自セルの中央周波数並びに周辺周波数に関してスケジューリングを行なう（図１９中の中央セルとしての処理に相当）。
【０１８０】
他方、中継局と移動局の機能的構成は、図１３、図１４にそれぞれ示したものと同様でよいので、ここでは説明を省略する。
【０１８１】
図２２、図１３、図１４にそれぞれ示した基地局２２００、中継局１３００、移動局１４００を配置して構成される隣接セル間では、中継局の位置に応じて周波数帯域の割り当てを行なうことによって、中継局から送信される周辺周波数の信号による隣接セルの中央周波数への干渉を調整することが可能になり、延いては、ユーザーのスループット向上に寄与するという点を十分理解されたい。
【産業上の利用可能性】
【０１８２】
以上、特定の実施形態を参照しながら、本発明について詳細に説明してきた。しかしながら、本発明の要旨を逸脱しない範囲で当業者が該実施形態の修正や代用を成し得ることは自明である。
【０１８３】
本明細書では、移動通信システムに適用した実施形態を中心に説明してきたが、本発明の要旨はこれに限定されるものではない。無線ＬＡＮを始め、中継局の介在により基地局が移動局と通信するさまざまに通信システムに、本発明を同様に適用することができる。
【０１８４】
要するに、例示という形態で本発明を開示してきたのであり、本明細書の記載内容を限定的に解釈するべきではない。本発明の要旨を判断するためには、特許請求の範囲を参酌すべきである。
【符号の説明】
【０１８５】
１２００…基地局
１２０１…アンテナ部
１２０２…アナログ部
１２０３…ＡＤ／ＤＡ処理部
１２０４…ディジタル部
１２０５…上位層プロトコル処理部
１２１１…復調・復号部
１２１２…符号化・変調部
１２１３…中継局周波数割当決定部
１２１４…スケジューラー
１２１５…バックホール通信部
１３００…中継局
１３０１…アンテナ部
１３０２…アナログ部
１３０３…ＡＤ／ＤＡ処理部
１３０４…ディジタル部
１３１１…同期部
１３１２…復調・復号部
１３１３…符号化・変調部
１３１４…バッファー
１３１５…送受信制御部
１３１６…スケジューリング情報保持メモリー
１３１７…ＣＰＵ
１４００…移動局
１４０１…アンテナ部
１４０２…アナログ部
１４０３…ＡＤ／ＤＡ処理部
１４０４…ディジタル部
１４０５…上位層プロトコル処理部
１４１１…同期部
１４１２…復調・復号部
１４１３…符号化・変調部
１４１４…スケジューリング情報保持メモリー
１４１５…ＣＰＵ
１８００…基地局
１８０１…アンテナ部
１８０２…アナログ部
１８０３…ＡＤ／ＤＡ処理部
１８０４…ディジタル部
１８０５…上位層プロトコル処理部
１８１１…復調・復号部
１８１２…符号化・変調部
１８１３…位置情報保持メモリー
１８１４…中継局周波数割当決定部
１８１５…スケジューラー
１８１６…バックホール通信部
２２００…基地局
２２０１…アンテナ部
２２０２…アナログ部
２２０３…ＡＤ／ＤＡ処理部
２２０４…ディジタル部
２２０５…上位層プロトコル処理部
２２１１…復調・復号部
２２１２…符号化・変調部
２２１３…位置情報保持メモリー
２２１４…周波数情報保持メモリー
２２１５…中継局周波数割当決定部
２２１６…スケジューラー
２２１７…バックホール通信部
【図１】
2011066874.tif 000003
【図２】
2011066874.tif 000004
【図３Ａ】
2011066874.tif 000005
【図３Ｂ】
2011066874.tif 000006
【図３Ｃ】
2011066874.tif 000007
【図３Ｄ】
2011066874.tif 000008
【図４】
2011066874.tif 000009
【図５】
2011066874.tif 000010
【図６】
2011066874.tif 000011
【図７】
2011066874.tif 000012
【図８Ａ】
2011066874.tif 000013
【図８Ｂ】
2011066874.tif 000014
【図９】
2011066874.tif 000015
【図１０】
2011066874.tif 000016
【図１１】
2011066874.tif 000017
【図１２】
2011066874.tif 000018
【図１３】
2011066874.tif 000019
【図１４】
2011066874.tif 000020
【図１５Ａ】
2011066874.tif 000021
【図１５Ｂ】
2011066874.tif 000022
【図１５Ｃ】
2011066874.tif 000023
【図１５Ｄ】
2011066874.tif 000024
【図１６】
2011066874.tif 000025
【図１７】
2011066874.tif 000026
【図１８】
2011066874.tif 000027
【図１９】
2011066874.tif 000028
【図２０】
2011066874.tif 000029
【図２１】
2011066874.tif 000030
【図２２】
2011066874.tif 000031